(57)【要約】  メッセージ処理方法、ＭＭＥ選択方法、および装置が開示される。方法は、複数の仮想マシンが配置されるモビリティ管理エンティティＭＭＥによる、発展型ノードＢ  ｅＮＢによって送信された第１のメッセージを受信するステップであって、第１のメッセージが、ユーザ機器ＵＥによって送信された非アクセス層ＮＡＳメッセージ、およびＭＭＥにおけるターゲット仮想マシンによって生成されるターゲット仮想マシンの識別情報を含む、ステップと、ＭＭＥによる、ターゲット仮想マシンの識別情報に従って、複数の仮想マシンからターゲット仮想マシンを決定し、処理するためにターゲット仮想マシンに非アクセス層メッセージを割り当てるステップと、ＭＭＥによる、ターゲット仮想マシンによって生成された第１の応答メッセージをｅＮＢに戻して、第１の応答メッセージが、ｅＮＢを使用することによってＵＥに送信されるようにするステップとを含む。
2016535479.tif 000002
【特許請求の範囲】
【請求項１】
メッセージ処理方法において、
モビリティ管理エンティティＭＭＥによる、発展型ノードＢ  Ｅｎｂによって送信された第１のメッセージを受信するステップであって、複数の仮想マシンが、前記ＭＭＥに配置され、前記第１のメッセージが、ユーザ機器ＵＥによって送信された非アクセス層ＮＡＳメッセージ、およびターゲット仮想マシンの識別情報を含み、前記ターゲット仮想マシンの前記識別情報が、前記ＭＭＥにおける前記ターゲット仮想マシンによって生成される、該ステップと、
前記ＭＭＥによる、前記ターゲット仮想マシンの前記識別情報に従って、前記複数の仮想マシンから前記ターゲット仮想マシンを決定し、処理するために前記ターゲット仮想マシンに前記非アクセス層メッセージを割り当てるステップと、
前記ＭＭＥによる、前記ターゲット仮想マシンによって生成された第１の応答メッセージを前記ｅＮＢに戻して、前記第１の応答メッセージが、前記ｅＮＢを使用することによって前記ＵＥに送信されるようにするステップと
を具えたことを特徴とするメッセージ処理方法。
【請求項２】
前記ＭＭＥによる、前記ターゲット仮想マシンによって生成された第１の応答メッセージを前記ｅＮＢに戻すステップの前に、
前記ＭＭＥによる、前記ターゲット仮想マシンものであり前記ターゲット仮想マシンによって生成された、前記識別情報を受信するステップ
をさらに具え、
前記ＭＭＥによる、前記ターゲット仮想マシンによって生成された第１の応答メッセージを前記ｅＮＢに戻すステップに加えて、
前記ＭＭＥによる、前記ターゲット仮想マシンものであり前記ターゲット仮想マシンによって生成された、前記識別情報を前記ｅＮＢに戻すステップ
をさらに具えたことを特徴とする請求項１に記載の方法。
【請求項３】
前記ＭＭＥによる、前記ターゲット仮想マシンによって生成された第１の応答メッセージを前記ｅＮＢに戻すステップの前に、
前記ＭＭＥによる、前記ターゲット仮想マシンによって更新された前記ターゲット仮想マシンの識別情報を受信するステップ
をさらに具え、
前記ＭＭＥによる、前記ターゲット仮想マシンによって生成された第１の応答メッセージを前記ｅＮＢに戻すステップに加えて、
前記ＭＭＥによる、前記ターゲット仮想マシンの前記更新された識別情報を前記ｅＮＢに戻すステップ
をさらに具えたことを特徴とする請求項１に記載の方法。
【請求項４】
モビリティ管理エンティティＭＭＥによる、発展型ノードＢ  ｅＮＢによって送信された第１のメッセージを前記受信するステップは、
前記ＭＭＥによる、前記発展型ノードＢ  ｅＮＢを使用することによって、前記ユーザ機器ＵＥによって送信された前記ＮＡＳメッセージを受信するステップであって、前記ＮＡＳメッセージが、前記ＵＥによって前記ｅＮＢに送信される接続確立要求の中で伝送され、前記ＮＡＳメッセージが、前記ターゲット仮想マシンの前記識別情報を伝送し、前記ターゲット仮想マシンの前記識別情報が、記憶するために前記ＭＭＥによって前記ＵＥに送信される、該ステップ
を具えたことを特徴とする請求項１に記載の方法。
【請求項５】
前記ＮＡＳメッセージが、前記ＭＭＥの前記識別情報をさらに伝送することを特徴とする請求項４に記載の方法。
【請求項６】
前記ＮＡＳメッセージが前記ターゲット仮想マシンの前記識別情報を伝送することは、
前記ＮＡＳメッセージの中で、グローバルに一意の一時的属性情報ＧＵＴＩを伝送することであって、前記ＧＵＴＩが、前記ターゲット仮想マシンを識別する識別コードを含む、該伝送すること
を具えたことを特徴とする請求項４または５に記載の方法。
【請求項７】
前記ＧＵＴＩが、前記ターゲット仮想マシンを識別する識別コードを含むことは、
前記グローバルに一意の一時的属性情報ＧＵＴＩの中に、グローバルに一意のモビリティ管理エンティティ識別子ＧＵＭＭＥＩまたは短い一時的モバイル加入者属性情報Ｓ−ＴＭＳＩを含むことであって、前記ＧＵＭＭＥＩまたは前記Ｓ−ＴＭＳＩの中のモビリティ管理エンティティコードＭＭＥＣが、前記ターゲット仮想マシンを識別する前記識別コードを含む、該ＧＵＭＭＥＩまたはＳ−ＴＭＳＩを含むこと
を具えたことを特徴とする請求項６に記載の方法。
【請求項８】
モビリティ管理エンティティＭＭＥによる、発展型ノードＢ  ｅＮＢによって送信された第１のメッセージを前記受信するステップは、
前記ＭＭＥによる、前記発展型ノードＢ  ｅＮＢによって送信され、前記ＮＡＳメッセージを伝送する前記第１のメッセージを受信するステップであって、前記第１のメッセージが、前記ターゲット仮想マシンの前記識別情報をさらに伝送し、前記ターゲット仮想マシンの前記識別情報が、記憶するために前記ＭＭＥによって前記ｅＮＢに送信される、該ステップ
を具えたことを特徴とする請求項１または２に記載の方法。
【請求項９】
前記ＭＭＥと前記ｅＮＢとの間でＳ１インターフェースが確立される方法であって、
前記第１のメッセージが前記ターゲット仮想マシンの前記識別情報をさらに伝送することは、
前記第１のメッセージの中で、前記ＭＭＥ内で前記Ｓ１インターフェース上で前記ＵＥを一意に識別する識別子ＭＭＥ  ＵＥ  Ｓ１ＡＰ  ＩＤを伝送することであって、前記ＭＭＥ  ＵＥ  Ｓ１ＡＰ  ＩＤが、前記ターゲット仮想マシンを識別する識別コードを含む、該伝送すること
を具えたことを特徴とする請求項８に記載の方法。
【請求項１０】
ＭＭＥ選択方法において、
発展型ノードＢ  ｅＮＢによる、ユーザ機器ＵＥによって送信された接続確立要求を受信するステップであって、前記接続確立要求が、前記ＵＥによってモビリティ管理エンティティＭＭＥに送信される必要がある非アクセス層ＮＡＳメッセージおよび第１の識別情報を伝送し、複数の仮想マシンが、前記ＭＭＥに配置され、前記第１の識別情報が、前記ＭＭＥを識別する識別情報、および前記ＭＭＥにおけるターゲット仮想マシンを識別する識別情報を含み、前記第１の識別情報が、前記ターゲット仮想マシンによって生成され、記憶するために前記ＵＥに送信される、該ステップと、
前記ｅＮＢによる、前記第１の識別情報から前記ＭＭＥの前記識別情報を認識し、前記ＭＭＥの前記識別情報に従って、前記ｅＮＢに対してＳ１インターフェースを確立する複数のＭＭＥから前記ＭＭＥを決定するステップと、
前記ｅＮＢによる、前記ＭＭＥに前記非アクセス層メッセージおよび前記第１の識別情報を送信して、前記ＭＭＥが、前記第１の識別情報の中の前記ターゲット仮想マシンの前記識別情報に従って、前記複数の仮想マシンから、前記ＮＡＳメッセージを処理する前記ターゲット仮想マシンを選択するステップと
を具えたことを特徴とするＭＭＥ選択方法。
【請求項１１】
前記第１の識別情報が、グローバルに一意の一時的属性情報ＧＵＴＩであり、前記ＧＵＴＩが、前記ＭＭＥを識別する識別コード、および前記ターゲット仮想マシンを識別する識別コードを含み、
前記ｅＮＢによる、前記第１の識別情報から前記ＭＭＥの前記識別情報を前記認識するステップが、
前記ｅＮＢによる、前記ＧＵＴＩの中にあり前記ＭＭＥを識別する、事前設定された識別コードを認識して、前記ＭＭＥの前記識別コードを決定するステップ
を具えたことを特徴とする請求項１０に記載の方法。
【請求項１２】
前記グローバルに一意の一時的属性情報ＧＵＴＩが、グローバルに一意のモビリティ管理エンティティ識別子ＧＵＭＭＥＩまたは短い一時的モバイル加入者属性情報Ｓ−ＴＭＳＩを含み、前記ＧＵＭＭＥＩまたは前記Ｓ−ＴＭＳＩの中のモビリティ管理エンティティコードＭＭＥＣが、前記ターゲット仮想マシンを識別する前記識別コード、および前記ＭＭＥを識別する前記識別コードを含み、
前記ｅＮＢによる、前記ＧＵＴＩの中にあり前記ＭＭＥを識別する、事前設定された識別コードを認識して、前記ＭＭＥの前記識別コードを決定する前記ステップが、
前記ｅＮＢによる、前記ＧＵＴＩの中の前記ＧＵＭＭＥＩまたは前記Ｓ−ＴＭＳＩから前記ＭＭＥＣを抽出し、前記ＭＭＥＣの中の前記識別コードものであり前記ＭＭＥを識別するのに使用される、指定された部分を認識して、前記ＭＭＥの前記識別コードを決定するステップ
を具えたことを特徴とする請求項１１に記載の方法。
【請求項１３】
モビリティ管理エンティティＭＭＥに適用されるメッセージ処理装置において、
発展型ノードＢ  ｅＮＢによって送信された第１のメッセージを受信するように構成された受信ユニットであって、複数の仮想マシンが、前記ＭＭＥに配置され、前記第１のメッセージが、ユーザ機器ＵＥによって送信された非アクセス層ＮＡＳメッセージ、およびターゲット仮想マシンの識別情報を含み、前記ターゲット仮想マシンの前記識別情報が、前記ＭＭＥにおける前記ターゲット仮想マシンによって生成される、受信ユニットと、
前記ターゲット仮想マシンの前記識別情報に従って、前記複数の仮想マシンから前記ターゲット仮想マシンを決定し、処理するために前記ターゲット仮想マシンに前記非アクセス層メッセージを割り当てるように構成された処理ユニットと、
前記ターゲット仮想マシンによって生成された第１の応答メッセージを前記ｅＮＢに戻して、前記ｅＮＢを使用することによって前記第１の応答メッセージが前記ＵＥに送信されるようにするように構成された送信ユニットと
を具えたことを特徴とするメッセージ処理装置。
【請求項１４】
前記ターゲット仮想マシンものであり前記ターゲット仮想マシンによって生成された、前記識別情報を受信するように構成された識別獲得ユニットと、
前記送信ユニットが前記ｅＮＢに前記第１の応答メッセージを送信する際、前記ターゲット仮想マシンものであり前記ターゲット仮想マシンによって生成された、前記識別情報を前記ｅＮＢに戻すように構成された第１の識別送信ユニットと
をさらに具えたことを特徴とする請求項１３に記載の装置。
【請求項１５】
前記ターゲット仮想マシンによって更新された前記ターゲット仮想マシンの識別情報を受信するように構成された識別更新ユニットと、
前記送信ユニットが前記ｅＮＢに前記第１の応答メッセージを送信する際、前記ターゲット仮想マシンの前記更新された識別情報を前記ｅＮＢに戻すように構成された第２の識別送信ユニットと
をさらに具えたことを特徴とする請求項１３に記載の装置。
【請求項１６】
前記受信ユニットは、
前記発展型ノードＢ  ｅＮＢを使用することによって、前記ユーザ機器ＵＥによって送信された前記ＮＡＳメッセージを受信するように構成された第１の受信ユニットであって、前記ＮＡＳメッセージが、前記ＵＥによって前記ｅＮＢに送信される接続確立要求の中で伝送され、前記ＮＡＳメッセージが、前記ターゲット仮想マシンの前記識別情報を伝送し、前記ターゲット仮想マシンの前記識別情報が、前記ＭＭＥにおける前記ターゲット仮想マシンによって生成され、記憶するために前記ＭＭＥによって前記ＵＥに送信される、第１の受信ユニット
を具えたことを特徴とする請求項１３に記載の装置。
【請求項１７】
前記ＮＡＳメッセージが、前記ＭＭＥの前記識別情報をさらに伝送することを特徴とする請求項１６に記載の装置。
【請求項１８】
前記第１の受信ユニットによって受信される前記ＮＡＳメッセージが前記ターゲット仮想マシンの前記識別情報を伝送することは、
前記ＮＡＳメッセージの中で、グローバルに一意の一時的属性情報ＧＵＴＩを伝送することであって、前記ＧＵＴＩが、前記ターゲット仮想マシンを識別する識別コードを含む、該伝送すること
を具えたことを特徴とする請求項１６または１７に記載の装置。
【請求項１９】
前記ＧＵＴＩが、前記ターゲット仮想マシンを識別する識別コードを含むことは、
前記グローバルに一意の一時的属性情報ＧＵＴＩによる、グローバルに一意のモビリティ管理エンティティ識別子ＧＵＭＭＥＩまたは短い一時的モバイル加入者属性情報Ｓ−ＴＭＳＩを含むことであって、前記ＧＵＭＭＥＩまたは前記Ｓ−ＴＭＳＩの中のモビリティ管理エンティティコードＭＭＥＣが、前記ターゲット仮想マシンを識別する前記識別コードを含む、ＧＵＭＭＥＩまたはＳ−ＴＭＳＩを含むこと
を具えたことを特徴とする請求項１８に記載の装置。
【請求項２０】
前記受信ユニットは、
前記発展型ノードＢ  ｅＮＢによって送信され、前記ＮＡＳメッセージを伝送する前記第１のメッセージを受信するように構成された第２の受信ユニットであって、前記第１のメッセージが、前記ターゲット仮想マシンの前記識別情報をさらに伝送し、前記ターゲット仮想マシンの前記識別情報が、前記ターゲット仮想マシンによって生成され、記憶するために前記ＭＭＥによって前記ｅＮＢに送信される、第２の受信ユニット
を具えたことを特徴とする請求項１３または１４に記載の装置。
【請求項２１】
前記ＭＭＥと前記ｅＮＢの間でＳ１インターフェースが確立され、
前記第２の受信ユニットによって受信される前記第１のメッセージが、前記ターゲット仮想マシンの前記識別情報をさらに伝送することは、
前記第１のメッセージの中で、前記ＭＭＥ内で前記Ｓ１インターフェース上で前記ＵＥを一意に識別する識別子ＭＭＥ  ＵＥ  Ｓ１ＡＰ  ＩＤを伝送することであって、前記ＭＭＥ  ＵＥ  Ｓ１ＡＰ  ＩＤが、前記ターゲット仮想マシンを識別する識別コードを備える、該伝送すること
を具えたことを特徴とする請求項２０に記載の装置。
【請求項２２】
発展型ノードＢ  ｅＮＢに適用されるＭＭＥ選択装置において、
ユーザ機器ＵＥによって送信された接続確立要求を受信するように構成された受信ユニットであって、前記接続確立要求が、前記ＵＥによってモビリティ管理エンティティＭＭＥに送信される必要がある非アクセス層ＮＡＳメッセージおよび第１の識別情報を伝送し、複数の仮想マシンが、前記ＭＭＥに配置され、前記第１の識別情報が、前記ＭＭＥを識別する識別情報、および前記ＭＭＥにおけるターゲット仮想マシンを識別する識別情報を備え、前記第１の識別情報が、前記ターゲット仮想マシンによって生成され、前記ＵＥに送信される受信ユニットと、
前記第１の識別情報から前記ＭＭＥの前記識別情報を認識し、前記ＭＭＥの前記識別情報に従って、前記ｅＮＢに対してＳ１インターフェースを確立する複数のＭＭＥから前記ＭＭＥを決定するように構成された認識ユニットと、
前記ＭＭＥに前記非アクセス層メッセージおよび前記第１の識別情報を送信して、前記ＭＭＥが、前記第１の識別情報の中の前記ターゲット仮想マシンの前記識別情報に従って、前記複数の仮想マシンから、前記ＮＡＳメッセージを処理する前記ターゲット仮想マシンを選択するように構成された送信ユニットと
を具えたことを特徴とするＭＭＥ選択装置。
【請求項２３】
前記第１の識別情報が、グローバルに一意の一時的属性情報ＧＵＴＩであり、前記ＧＵＴＩが、前記ＭＭＥを識別する識別コード、および前記ターゲット仮想マシンを識別する識別コードを含む装置であって、
したがって、前記認識ユニットが、
前記ＧＵＴＩの中にあり前記ＭＭＥを識別する、事前設定された識別コードを認識して、前記ＭＭＥの前記識別コードを決定するように構成された第１の認識ユニット
を具えたことを特徴とする請求項２２に記載の装置。
【請求項２４】
前記グローバルに一意の一時的属性情報ＧＵＴＩが、グローバルに一意のモビリティ管理エンティティ識別子ＧＵＭＭＥＩまたは短い一時的モバイル加入者属性情報Ｓ−ＴＭＳＩを含み、前記ＧＵＭＭＥＩまたは前記Ｓ−ＴＭＳＩの中のモビリティ管理エンティティコードＭＭＥＣが、前記ターゲット仮想マシンを識別する前記識別コード、および前記ＭＭＥを識別する前記識別コードを含み、
前記第１の認識ユニットが、
前記ＧＵＴＩの中の前記ＧＵＭＭＥＩまたは前記Ｓ−ＴＭＳＩから前記ＭＭＥＣを抽出し、前記ＭＭＥＣの中の前記識別コードものであり前記ＭＭＥを識別するのに使用される、指定された部分を認識して、前記ＭＭＥの前記識別コードを決定するように構成された第１の認識サブユニット
を具えたことを特徴とする請求項２３に記載の装置。
【発明の詳細な説明】
【技術分野】
【０００１】
本出願は、参照により全体が本明細書に組み込まれている、２０１３年１０月１５日に中国国家知識産権局に出願された、「ＭＥＳＳＡＧＥ  ＰＲＯＣＥＳＳＩＮＧ  ＭＥＴＨＯＤ，ＭＭＥ  ＳＥＬＥＣＴＩＯＮ  ＭＥＴＨＯＤ，ＡＮＤ  ＡＰＰＡＲＡＴＵＳＥＳ」という名称の中国特許第２０１３１０４８２９３５．３の優先権を主張する。
【０００２】
本発明は、通信技術の分野に関し、より詳細には、メッセージ処理方法、ＭＭＥ選択方法、および装置に関する。
【背景技術】
【０００３】
モビリティ管理エンティティ（ＭＭＥ、Ｍｏｂｉｌｉｔｙ  Ｍａｎａｇｅｍｅｎｔ  Ｅｎｔｉｔｙ）は、ロングタームエボリューション（Ｌｏｎｇ  Ｔｅｒｍ  Ｅｖｏｌｕｔｉｏｎ、ＬＴＥ）ネットワークにおける重要な制御ノードである。モビリティ管理エンティティは、ユーザ機器（ＵＥ、Ｕｓｅｒ  Ｅｑｕｉｐｍｅｎｔ）コンテキストを管理し、記憶すること、ＵＥに一時的属性情報を割り当てること、ＵＥを認証すること、モビリティ管理エンティティとＵＥの間のすべての非アクセス層メッセージを処理することなどを担う。
【０００４】
ＬＴＥネットワークにおいては、ＵＥは、発展型ノードＢ（ｅＮＢ、ｅｖｏｌｖｅｄ  ＮｏｄｅＢ）を使用することによってＭＭＥに認証要求、サービス要求などを送信する必要があり、ｅＮＢは、ｅＮＢとＭＭＥの間で確立されたＳ１インターフェースを使用することによってメッセージを転送する必要がある。Ｓ１インターフェースは、論理インターフェースであり、ｅＮＢとＭＭＥの間の通信インターフェースである。ＬＴＥネットワークシステムの発展とともに、システムの要件を満たすのに、より多くのＭＭＥが同時に実行される必要がある。したがって、システムにおけるｅＮＢとＭＭＥの間で確立されるＳ１インターフェースの数量、および他のインターフェースの数量が、大幅に増加し、このことが、ネットワークシステムの複雑さを高める。加えて、ＭＭＥの数量の増加は、相当なリソースの消費を不可避にもたらす。
【発明の概要】
【発明が解決しようとする課題】
【０００５】
本発明は、改善された、メッセージ処理方法、ＭＭＥ選択方法、および装置に関する。
【課題を解決するための手段】
【０００６】
このことに鑑みて、本発明の実施形態は、ＬＴＥネットワークシステムの複雑さを低くし、リソース消費を低減するメッセージ処理方法、ＭＭＥ選択方法、および装置を提供する。
【０００７】
前述の問題を解決するのに、本発明の第１の態様が、メッセージ処理方法を提供し、この方法は、
モビリティ管理エンティティＭＭＥによる、発展型ノードＢ  ｅＮＢによって送信された第１のメッセージを受信するステップであって、複数の仮想マシンが、ＭＭＥに配置され、第１のメッセージが、ユーザ機器ＵＥによって送信された非アクセス層ＮＡＳメッセージ、およびターゲット仮想マシンの識別情報を含み、ターゲット仮想マシンの識別情報が、ＭＭＥにおけるターゲット仮想マシンによって生成される、ステップと、
ＭＭＥによる、ターゲット仮想マシンの識別情報に従って、複数の仮想マシンからターゲット仮想マシンを決定し、処理するためにターゲット仮想マシンに非アクセス層メッセージを割り当てるステップと
ＭＭＥによる、ターゲット仮想マシンによって生成された第１の応答メッセージをｅＮＢに戻して、第１の応答メッセージが、ｅＮＢを使用することによってＵＥに送信されるようにするステップと
を含む。
【０００８】
第１の態様を参照すると、第１の可能な実施手法において、ＭＭＥによる、ターゲット仮想マシンによって生成された第１の応答メッセージをｅＮＢに戻すステップの前に、方法は、
ＭＭＥによる、ターゲット仮想マシンものでありターゲット仮想マシンによって生成された、識別情報を受信するステップ
をさらに含み、
ＭＭＥによる、ターゲット仮想マシンによって生成された第１の応答メッセージをｅＮＢに戻すステップに加えて、方法は、
ＭＭＥによる、ターゲット仮想マシンものでありターゲット仮想マシンによって生成された、識別情報をｅＮＢに戻すステップ
をさらに含む。
【０００９】
第１の態様を参照すると、第２の可能な実施手法において、ＭＭＥによる、ターゲット仮想マシンによって生成された第１の応答メッセージをｅＮＢに戻すステップの前に、方法は、
ＭＭＥによる、ターゲット仮想マシンによって更新されたターゲット仮想マシンの識別情報を受信するステップ
をさらに含み、
ＭＭＥによる、ターゲット仮想マシンによって生成された第１の応答メッセージをｅＮＢに戻すステップに加えて、方法は、
ＭＭＥによる、ターゲット仮想マシンの更新された識別情報をｅＮＢに戻すステップ
をさらに含む。
【００１０】
第１の態様を参照すると、第３の可能な実施手法において、モビリティ管理エンティティＭＭＥによる、発展型ノードＢ  ｅＮＢによって送信された第１のメッセージを受信するステップは、
ＭＭＥによる、発展型ノードＢ  ｅＮＢを使用することによって、ユーザ機器ＵＥによって送信されたＮＡＳメッセージを受信するステップであって、そのＮＡＳメッセージが、ＵＥによってｅＮＢに送信される接続確立要求の中で伝送され、そのＮＡＳメッセージが、ターゲット仮想マシンの識別情報を伝送し、ターゲット仮想マシンの識別情報が、ＭＭＥにおけるターゲット仮想マシンによって生成され、記憶するためにＭＭＥによってＵＥに送信される、ステップ
を含む。
【００１１】
第１の態様の第３の可能な実施手法を参照すると、第４の可能な実施手法において、ＮＡＳメッセージがターゲット仮想マシンの識別情報を伝送することは、
ＮＡＳメッセージの中で、グローバルに一意の一時的属性情報ＧＵＴＩを伝送することであって、ＧＵＴＩが、ターゲット仮想マシンを識別する識別コードを含む、伝送すること
を含む。
【００１２】
第１の態様の第４の可能な実施手法を参照すると、第５の可能な実施手法において、ＧＵＴＩが、ターゲット仮想マシンを識別する識別コードを含むことは、
グローバルに一意の一時的属性情報ＧＵＴＩの中に、グローバルに一意のモビリティ管理エンティティ識別子ＧＵＭＭＥＩまたは短い一時的モバイル加入者属性情報Ｓ−ＴＭＳＩを含めることであって、ＧＵＭＭＥＩまたはＳ−ＴＭＳＩの中のモビリティ管理エンティティコードＭＭＥＣが、ターゲット仮想マシンを識別する識別コードを含む、含めること
を含む。
【００１３】
第１の態様、または第１の態様の第１の可能な実施手法を参照すると、第６の可能な実施手法において、モビリティ管理エンティティＭＭＥによる、発展型ノードＢ  ｅＮＢによって送信された第１のメッセージを受信するステップは、
ＭＭＥによる、発展型ノードＢ  ｅＮＢによって送信され、ＮＡＳメッセージを伝送する第１のメッセージを受信するステップであって、第１のメッセージが、ターゲット仮想マシンの識別情報をさらに伝送し、ターゲット仮想マシンの識別情報が、ターゲット仮想マシンによって生成され、記憶するためにＭＭＥによってｅＮＢに送信される、ステップ
を含む。
【００１４】
第１の態様の第６の可能な実施手法を参照すると、第７の可能な実施手法において、ＭＭＥとｅＮＢの間でＳ１インターフェースが確立され、
第１のメッセージがターゲット仮想マシンの識別情報をさらに伝送することは、
第１のメッセージの中で、ＭＭＥ内でＳ１インターフェース上でＵＥを一意に識別する識別子ＭＭＥ  ＵＥ  Ｓ１ＡＰ  ＩＤを伝送することであって、ＭＭＥ  ＵＥ  Ｓ１ＡＰ  ＩＤが、ターゲット仮想マシンを識別するのに使用される識別コードを含む、伝送すること
を含む。
【００１５】
本発明の第２の態様が、ＭＭＥ選択方法を提供し、この方法は、
発展型ノードＢ  ｅＮＢによる、ユーザ機器ＵＥによって送信された接続確立要求を受信するステップであって、接続確立要求が、ＵＥによってモビリティ管理エンティティＭＭＥに送信される必要がある非アクセス層ＮＡＳメッセージおよび第１の識別情報を伝送し、複数の仮想マシンが、ＭＭＥに配置され、第１の識別情報が、ＭＭＥを識別する識別情報、およびＭＭＥにおけるターゲット仮想マシンを識別する識別情報を含み、第１の識別情報が、ターゲット仮想マシンによって生成され、記憶するためにＵＥに送信される、ステップと、
ｅＮＢによる、第１の識別情報からＭＭＥの識別情報を認識し、ＭＭＥの識別情報に従って、ｅＮＢに対してＳ１インターフェースを確立する複数のＭＭＥからＭＭＥを決定するステップと
ｅＮＢによる、ＭＭＥに非アクセス層メッセージおよび第１の識別情報を送信して、ＭＭＥが、第１の識別情報の中のターゲット仮想マシンの識別情報に従って、複数の仮想マシンから、ＮＡＳメッセージを処理するターゲット仮想マシンを選択するステップと
を含む。
【００１６】
第２の態様を参照すると、第１の可能な実施手法において、第１の識別情報は、グローバルに一意の一時的属性情報ＧＵＴＩであり、ＧＵＴＩは、ＭＭＥを識別する識別コード、およびターゲット仮想マシンを識別する識別コードを含み、
したがって、ｅＮＢによる、第１の識別情報からＭＭＥの識別情報を認識するステップは、
ｅＮＢによる、ＧＵＴＩの中にありＭＭＥを識別する、事前設定された識別コードを認識して、ＭＭＥの識別コードを決定するステップ
を含む。
【００１７】
第１の態様の第１の可能な実施手法を参照すると、第２の可能な実施手法において、グローバルに一意の一時的属性情報ＧＵＴＩは、グローバルに一意のモビリティ管理エンティティ識別子ＧＵＭＭＥＩまたは短い一時的モバイル加入者属性情報Ｓ−ＴＭＳＩを含み、ＧＵＭＭＥＩまたはＳ−ＴＭＳＩの中のモビリティ管理エンティティコードＭＭＥＣは、ターゲット仮想マシンを識別する識別コード、およびＭＭＥを識別する識別コードを含み、
ｅＮＢによる、ＧＵＴＩの中にありＭＭＥを識別する、事前設定された識別コードを認識して、ＭＭＥの識別コードを決定するステップは、
ｅＮＢによる、ＧＵＴＩの中のＧＵＭＭＥＩまたはＳ−ＴＭＳＩからＭＭＥＣを抽出し、ＭＭＥＣの中の識別コードものでありＭＭＥを識別するのに使用される、指定された部分を認識して、ＭＭＥの識別コードを決定するステップ
を含む。
【００１８】
本発明の第３の態様が、モビリティ管理エンティティＭＭＥに適用されるメッセージ処理装置を提供し、この装置は、
発展型ノードＢ  ｅＮＢによって送信された第１のメッセージを受信するように構成された受信ユニットであって、複数の仮想マシンが、ＭＭＥに配置され、第１のメッセージが、ユーザ機器ＵＥによって送信された非アクセス層ＮＡＳメッセージ、およびターゲット仮想マシンの識別情報を含み、ターゲット仮想マシンの識別情報が、ＭＭＥにおけるターゲット仮想マシンによって生成される、受信ユニットと、
ターゲット仮想マシンの識別情報に従って、複数の仮想マシンからターゲット仮想マシンを決定し、処理するためにターゲット仮想マシンに非アクセス層メッセージを割り当てるように構成された処理ユニットと、
ターゲット仮想マシンによって生成された第１の応答メッセージをｅＮＢに戻して、ｅＮＢを使用することによって第１の応答メッセージがＵＥに送信されるようにするように構成された送信ユニットと
を含む。
【００１９】
第３の態様を参照すると、第１の可能な実施手法において、装置は、
ターゲット仮想マシンものでありターゲット仮想マシンによって生成された、識別情報を受信するように構成された識別獲得ユニットと、
送信ユニットがｅＮＢに第１の応答メッセージを送信する際、ターゲット仮想マシンものでありターゲット仮想マシンによって生成された、識別情報をｅＮＢに戻すように構成された第１の識別送信ユニットと
をさらに含む。
【００２０】
第３の態様を参照すると、第２の可能な実施手法において、装置は、
ターゲット仮想マシンによって更新されたターゲット仮想マシンの識別情報を受信するように構成された識別更新ユニットと、
送信ユニットがｅＮＢに第１の応答メッセージを送信する際、ターゲット仮想マシンの更新された識別情報をｅＮＢに戻すように構成された第２の識別送信ユニットと
をさらに含む。
【００２１】
第３の態様を参照すると、第３の可能な実施手法において、受信ユニットは、
発展型ノードＢ  ｅＮＢを使用することによって、ユーザ機器ＵＥによって送信されたＮＡＳメッセージを受信するように構成された第１の受信ユニットであって、ＮＡＳメッセージが、ＵＥによってｅＮＢに送信される接続確立要求の中で伝送され、ＮＡＳメッセージが、ターゲット仮想マシンの識別情報を伝送し、ターゲット仮想マシンの識別情報が、ＭＭＥにおけるターゲット仮想マシンによって生成され、記憶するためにＭＭＥによってＵＥに送信される、第１の受信ユニット
を含む。
【００２２】
第３の態様の第３の可能な実施手法を参照すると、第４の可能な実施手法において、ＮＡＳメッセージがターゲット仮想マシンの識別情報を伝送することは、
ＮＡＳメッセージの中で、グローバルに一意の一時的属性情報ＧＵＴＩを伝送することであって、ＧＵＴＩが、ターゲット仮想マシンを識別する識別コードを含む、伝送すること
を含む。
【００２３】
第３の態様の第４の可能な実施手法を参照すると、第５の可能な実施手法において、ＧＵＴＩが、ターゲット仮想マシンを識別する識別コードを含むことは、
グローバルに一意の一時的属性情報ＧＵＴＩの中に、グローバルに一意のモビリティ管理エンティティ識別子ＧＵＭＭＥＩまたは短い一時的モバイル加入者属性情報Ｓ−ＴＭＳＩを含めることであって、ＧＵＭＭＥＩまたはＳ−ＴＭＳＩの中のモビリティ管理エンティティコードＭＭＥＣが、ターゲット仮想マシンを識別する識別コードを含む、含めること
を含む。
【００２４】
第３の態様、または第３の態様の第１の可能な実施手法を参照して、第６の可能な実施手法において、受信ユニットは、
発展型ノードＢ  ｅＮＢによって送信され、ＮＡＳメッセージを伝送する第１のメッセージを受信するように構成された第２の受信ユニットであって、第１のメッセージが、ターゲット仮想マシンの識別情報をさらに伝送し、ターゲット仮想マシンの識別情報が、ターゲット仮想マシンによって生成され、記憶するためにＭＭＥによってｅＮＢに送信される、第２の受信ユニット
を含む。
【００２５】
第３の態様の第６の可能な実施手法を参照すると、第７の可能な実施様態において、ＭＭＥとｅＮＢの間でＳ１インターフェースが確立され、
第１のメッセージがターゲット仮想マシンの識別情報をさらに伝送することは、
第１のメッセージの中で、ＭＭＥ内でＳ１インターフェース上でＵＥを一意に識別する識別子ＭＭＥ  ＵＥ  Ｓ１ＡＰ  ＩＤを伝送することであって、ＭＭＥ  ＵＥ  Ｓ１ＡＰ  ＩＤが、ターゲット仮想マシンを識別する識別コードを含む、伝送すること
を含む。
【００２６】
本発明の第４の態様が、発展型ノードＢ  ｅＮＢに適用されるＭＭＥ選択装置を提供し、この装置は、
ユーザ機器ＵＥによって送信された接続確立要求を受信するように構成された受信ユニットであって、接続確立要求が、ＵＥによってモビリティ管理エンティティＭＭＥに送信される必要がある非アクセス層ＮＡＳメッセージおよび第１の識別情報を伝送し、複数の仮想マシンが、ＭＭＥに配置され、第１の識別情報が、ＭＭＥを識別する識別情報、およびＭＭＥにおけるターゲット仮想マシンを識別する識別情報を含み、第１の識別情報が、ターゲット仮想マシンによって生成され、ＵＥに送信される、受信ユニットと、
第１の識別情報からＭＭＥの識別情報を認識し、ＭＭＥの識別情報に従って、ｅＮＢに対してＳ１インターフェースを確立する複数のＭＭＥからＭＭＥを決定するように構成された認識ユニットと、
ＭＭＥに非アクセス層メッセージおよび第１の識別情報を送信して、ＭＭＥが、第１の識別情報の中のターゲット仮想マシンの識別情報に従って、複数の仮想マシンから、ＮＡＳメッセージを処理するターゲット仮想マシンを選択するように構成された送信ユニットと
を含む。
【００２７】
第４の態様を参照すると、第１の可能な実施手法において、第１の識別情報は、グローバルに一意の一時的属性情報ＧＵＴＩであり、ＧＵＴＩは、ＭＭＥを識別する識別コード、およびターゲット仮想マシンを識別する識別コードを含み、
したがって、認識ユニットは、
ＧＵＴＩの中にありＭＭＥを識別する、事前設定された識別コードを認識して、ＭＭＥの識別コードを決定するように構成された第１の認識ユニット
を含む。
【００２８】
第４の態様の第１の可能な実施手法を参照して、第２の可能な実施手法において、グローバルに一意の一時的属性情報ＧＵＴＩは、グローバルに一意のモビリティ管理エンティティ識別子ＧＵＭＭＥＩまたは短い一時的モバイル加入者属性情報Ｓ−ＴＭＳＩを含み、ＧＵＭＭＥＩまたはＳ−ＴＭＳＩの中のモビリティ管理エンティティコードＭＭＥＣは、ターゲット仮想マシンを識別する識別コード、およびＭＭＥを識別する識別コードを含み、
第１の認識ユニットは、
ＧＵＴＩの中のＧＵＭＭＥＩまたはＳ−ＴＭＳＩからＭＭＥＣを抽出し、ＭＭＥＣの中の識別コードものでありＭＭＥを識別するのに使用される、指定された部分を認識して、ＭＭＥの識別コードを決定するように構成された第１の認識サブユニット
を含む。
【００２９】
前述の技術的ソリューションから、複数の仮想マシンが、モビリティ管理エンティティＭＭＥに配置されることが理解されることが可能であり、ＭＭＥは、ｅＮＢを使用することによって第１のメッセージを受信し、第１のメッセージは、ＵＥによって送信されたＮＡＳメッセージ、およびＭＭＥにおけるターゲット仮想マシンの識別情報を含み、ＭＭＥは、ターゲット仮想マシンの識別情報に従って、複数の仮想マシンから、ＮＡＳメッセージを処理するターゲット仮想マシンを選択し、ｅＮＢに、ターゲット仮想マシンによって生成され、ＮＡＳメッセージに対応する第１の応答メッセージを戻す。ＭＭＥにおける各仮想マシンは、メッセージ処理動作を独立に実行することができるため、あるＭＭＥが、複数のＭＭＥの処理機能を実施することができ、このことは、ＬＴＥネットワークシステムのサービス要件が満たされるという前提で、ＬＴＥネットワークシステムに配置される必要があるＭＭＥの総数量を大幅に低減して、それにより、リソースの浪費を低減することができる。さらに、ＭＭＥは、ｅＮＢによって仮想マシンのうちのいずれかのマシンに送信されたメッセージを受信し、ＭＭＥは、ｅＮＢに、仮想マシンによって送信されたメッセージを伝送する。したがって、ＭＭＥとｅＮＢの間で１のＳ１インターフェースだけが確立される必要があり、各仮想マシンに関してＳ１インターフェースを構築する必要がなく、このことが、ＬＴＥシステムにおいて構築される必要があるＳ１インターフェースの数量を低減し、ＬＴＥシステムを構築するための複雑さをさらに低くする。
【図面の簡単な説明】
【００３０】
本発明の実施形態における、または従来技術における技術的ソリューションをより明確に説明するのに、以下は、実施形態または従来技術を説明するために要求される添付の図面を概説する。明らかに、以下の説明における添付の図面は、本発明のいくつかの実施形態を示すにすぎず、当業者は、なおも、独創的な取組みなしに、これらの図面から他の図面を導き出す。
【図１】本発明によるメッセージ処理方法の実施形態を示す概略流れ図である。
【図２】本発明によるメッセージ処理方法の別の実施形態を示す概略流れ図である。
【図３】本発明によるメッセージ処理方法の別の実施形態を示す概略流れ図である。
【図４】本発明によるメッセージ処理方法の別の実施形態におけるシグナリングインターワーキングを示す概略流れ図である。
【図５】本発明によるＭＭＥ選択方法の実施形態を示す概略流れ図である。
【図６】本発明によるメッセージ処理装置の実施形態を示す概略構造図である。
【図７】本発明によるＭＭＥ選択装置の実施形態を示す概略構造図である。
【図８】本発明によるモビリティ管理エンティティの実施形態を示す概略構造図である。
【図９】本発明による基地局の実施形態を示す概略構造図である。
【発明を実施するための形態】
【００３１】
以下は、本発明の実施形態における技術的ソリューションを、本発明の実施形態における添付の図面を参照して明確に、完全に説明する。明らかに、説明される実施形態は、本発明の実施形態のすべてではなく、一部分にすぎない。独創的な取組みなしに本発明の実施形態に基づいて当業者によって得られる他のすべての実施形態は、本発明の保護範囲内に入るものとする。
【００３２】
本発明の実施形態が、ＬＴＥシステムにおいてモビリティ管理エンティティに関する要件が満たされるという前提で、ＬＴＥネットワークシステムを確立するための複雑さを低くし、リソース消費を低減するメッセージ処理方法を提供する。
【００３３】
本発明の実施形態が、ネットワークアクセス挙動を認識するための方法および装置を開示する。ユーザの現在のネットワークアクセス挙動のネットワークアクセス情報が獲得され、ユーザのネットワークアクセス情報レコードが、探索され、ユーザのネットワークアクセス情報レコードが見出された後、現在のネットワークアクセス挙動が有効なネットワークアクセス挙動であるかどうかが、現在のネットワークアクセス時間、およびネットワークアクセス情報レコードの中にある前回のネットワークアクセス時間に従って決定される。本発明の実施形態において、各ネットワークアクセス挙動が、実質的に決定され、このことが、ネットワークアクセス挙動を認識する精度を向上させ、したがって、ユーザ挙動解析結果をより正確にする。
【００３４】
図１を参照すると、図１は、本発明によるメッセージ処理方法の実施形態の概略流れ図を示す。この実施形態における方法は、ＬＴＥシステムに適用され、この実施形態における方法は、以下を含む。
【００３５】
ステップ１０１：モビリティ管理エンティティ（ＭＭＥ、Ｍｏｂｉｌｉｔｙ  Ｍａｎａｇｅｍｅｎｔ  Ｅｎｔｉｔｙ）が、発展型ノードＢ（ｅＮＢ、ｅｖｏｌｖｅｄ  ＮｏｄｅＢ）によって送信された第１のメッセージを受信する。
【００３６】
複数の仮想マシン（ＶＭ、Ｖｉｒｔｕａｌ  Ｍａｃｈｉｎｅ）が、ＭＭＥに配置される。第１のメッセージは、ユーザ機器ＵＥによって送信された非アクセス層（ＮＡＳ、Ｎｏｎ  Ａｃｃｅｓｓ  Ｓｔｒａｔｕｍ）メッセージ、およびターゲット仮想マシンの識別情報を含む。ターゲット仮想マシンの識別情報は、ＭＭＥにおけるターゲット仮想マシンによって生成される。
【００３７】
既存のＭＭＥとは異なり、このアプリケーションのこの実施形態において、ＭＭＥは、ソフトウェアを使用することによってシミュレートされた複数の仮想マシンを有し、したがって、複数の仮想マシンが、ＭＭＥに配置される。各仮想マシンは、相互の干渉なしにオペレーティングシステムを独立に実行する。ＭＭＥに配置された複数の仮想マシンはすべて、モビリティ管理、ベアラ管理、およびユーザ認証などの機能を有する。
【００３８】
ＭＭＥとｅＮＢの間でＳ１インターフェースが確立され、Ｓ１インターフェースは、論理インターフェースである。Ｓ１インターフェースを使用することによってＭＭＥとｅＮＢの間でメッセージが伝送される。このアプリケーションにおいて、ＭＭＥとｅＮＢの間でＳ１インターフェースがやはり確立され、ＭＭＥにおける複数の仮想マシンは、そのＳ１インターフェースを共有する。言い換えれば、ＭＭＥにおける複数の仮想マシンは、実際には、１のネットワーク要素として外部に提示され、したがって、ＭＭＥにおける複数の仮想マシンは、そのＳ１インターフェースを共有してメッセージを受信すること、およびメッセージを送信することを行う。
【００３９】
このアプリケーションのこの実施形態において、複数の仮想マシンが、ＭＭＥに配置される。ＭＭＥが、その複数の仮想マシンから、ＵＥによって送信されたＮＡＳメッセージを処理することができる仮想マシンを決定することを可能にするのに、ｅＮＢによって送信される第１のメッセージは、ターゲット仮想マシンの識別情報を含む必要がある。ターゲット仮想マシンの識別情報は、ＭＭＥにおけるターゲット仮想マシンによって生成される。ターゲット仮想マシンは、現在の時間より前にＵＥによって送信されたＮＡＳメッセージを処理する、ＭＭＥにおける仮想マシンである。現在の時間より前にＵＥによって送信されたＮＡＳメッセージを処理する際、ターゲット仮想マシンは、ＭＭＥにおけるターゲット仮想マシンを一意に識別する識別情報を生成する。
【００４０】
ＵＥのＮＡＳメッセージを処理した後、ターゲット仮想マシンは、モビリティ管理コンテキストなどの、ＵＥの関連する情報を記憶して、ＵＥによって送信されたメッセージがその後、正常に処理されるようにする。したがって、ＵＥが関連するサービスを獲得することを可能にするのに、ＵＥがＭＭＥにＮＡＳメッセージをその後、送信すると、ＭＭＥは、ＵＥによって送信されたＮＡＳメッセージをターゲット仮想マシンに割り当てて、ＵＥが対応する呼出しサービスを実行すること、または別のサービスを獲得することを可能にすることがさらに必要である。したがって、ターゲット仮想マシンが認識され得るために、ターゲット仮想マシンの識別情報が、第１のメッセージの中で伝送される必要がある。
【００４１】
実際的なアプリケーションにおいて、ターゲット仮想マシンの識別情報を生成した後、ＭＭＥにおけるターゲット仮想マシンは、ターゲット仮想マシンの識別情報をＵＥに戻し、ＭＭＥは、ターゲット仮想マシンの識別情報をｅＮＢに戻すこともする。もちろん、ターゲット仮想マシンは、ターゲット仮想マシンの識別情報をＵＥおよびｅＮＢに送信することもして、ターゲット仮想マシンの識別情報がＵＥとｅＮＢの両方の中に記憶されるようにする。
【００４２】
したがって、ｅＮＢによって送信された第１のメッセージの中に含められるターゲット仮想マシンの識別情報は、異なるアプリケーションシナリオに従ってＵＥによってｅＮＢに送信される。例えば、ＵＥが、ｅＮＢにＮＡＳメッセージを送信する際、ＮＡＳメッセージは、ターゲット仮想マシンの識別情報を伝送して、ｅＮＢが、ＮＡＳメッセージ、およびＮＡＳメッセージの中で伝送されたターゲット仮想マシンの識別情報に従って第１のメッセージを生成することができるようにする。
【００４３】
ｅＮＢによって送信された第１のメッセージの中に含められるターゲット仮想マシンの識別情報は、ｅＮＢの中に保存されもする。ｅＮＢが、ＵＥによって送信されたＮＡＳメッセージを受信すると、ｅＮＢは、ＵＥに対応するＭＭＥ、およびそのＭＭＥにおけるターゲット仮想マシンを決定し、次に、ターゲット仮想マシンの識別情報、およびＮＡＳメッセージをＭＭＥに送信する。
【００４４】
ステップ１０２：ＭＭＥが、ターゲット仮想マシンの識別情報に従って、ＭＭＥに配置された複数の仮想マシンからターゲット仮想マシンを決定し、ターゲット仮想マシンにＮＡＳメッセージを割り当てる。
【００４５】
第１のメッセージは、ターゲット仮想マシンの識別情報を含むため、ＭＭＥは、配置された複数の仮想マシンから、ＮＡＳメッセージを処理する必要があるターゲット仮想マシンを直接に決定し、処理するためにターゲット仮想マシンにＮＡＳメッセージを割り当てて、ＭＭＥが、対応するサービスをＵＥに正常に提供することができることを確実にする。
【００４６】
ターゲット仮想マシンがＮＡＳメッセージを処理する方法は、既存のＭＭＥがＮＡＳメッセージを処理する方法と同様である。
【００４７】
ステップ１０３：ＭＭＥが、ターゲット仮想マシンによって生成された第１の応答メッセージをｅＮＢに戻して、ｅＮＢを使用することによって第１の応答メッセージをＵＥに送信する。
【００４８】
ターゲット仮想マシンが、ＮＡＳメッセージに対応する第１の応答メッセージを生成した後、ＭＭＥは、第１の応答メッセージをｅＮＢに送信する。従来技術の場合と同様に、第１の応答メッセージをｅＮＢに送信する際、ＭＭＥは、やはり、ＭＭＥとｅＮＢの間でＳ１インターフェースを使用することによって第１の応答メッセージを伝送する。したがって、ＭＭＥにおける複数の仮想マシンによってメッセージを送信することは、Ｓ１インターフェースを増加させることなしに完成され得る。
【００４９】
このアプリケーションのこの実施形態において、複数の仮想マシンが、モビリティ管理エンティティＭＭＥに配置され、ＭＭＥは、ｅＮＢを使用することによって第１のメッセージを受信し、第１のメッセージは、ＵＥによって送信されたＮＡＳメッセージ、およびＭＭＥにおけるターゲット仮想マシンの識別情報を含み、ＭＭＥは、ターゲット仮想マシンの識別情報に従って、複数の仮想マシンから、ＮＡＳメッセージを処理するターゲット仮想マシンを選択し、ｅＮＢに、ターゲット仮想マシンによって生成され、ＮＡＳメッセージに対応する第１の応答メッセージを戻す。本発明において、ＭＭＥにおける各仮想マシンは、メッセージ処理動作を独立に実行することができるため、１のＭＭＥが、複数のＭＭＥのメッセージ処理機能を実施することができ、このことは、ＬＴＥネットワークシステムのサービス要件が満たされるという前提で、ＬＴＥシステムに配置されるＭＭＥの総数量を大幅に低減して、それにより、リソースの浪費を低減することができる。加えて、ＭＭＥは、ｅＮＢによって仮想マシンのうちのいずれか１に送信されたメッセージを受信し、ＭＭＥは、ｅＮＢに、仮想マシンによって送信されたメッセージを伝送する。したがって、ＭＭＥとｅＮＢの間で１のＳ１インターフェースだけが確立される必要があり、各仮想マシンに関してＳ１インターフェースを構築する必要がなく、このことが、ＬＴＥシステムにおいて構築される必要があるＳ１インターフェースの数量を低減し、ＬＴＥシステムを構築するための複雑さをさらに低くする。
【００５０】
実際的なアプリケーションにおいて、第１の応答メッセージを戻す前に、ターゲット仮想マシンは、ターゲット仮想マシンの識別情報を生成することもし、ターゲット仮想マシンの識別情報、および第１の応答メッセージをＭＭＥに戻す。ＭＭＥは、ターゲット仮想マシンの識別情報、および第１の応答メッセージをｅＮＢに戻す。オプションとして、ターゲット仮想マシンは、ターゲット仮想マシンの情報が更新される必要がある場合だけ、ターゲット仮想マシンの識別情報を再生成して、第１のメッセージの中に含められるターゲット仮想マシンの識別情報を更新する。したがって、第１の応答メッセージ、およびターゲット仮想マシンの識別情報を受信する際、ｅＮＢは、ターゲット仮想マシンの更新された識別情報を記憶して、またはターゲット仮想マシンの更新された識別情報、および第１の応答メッセージをＵＥに直接に戻して、ＵＥが、ターゲット仮想マシンの更新された識別情報を記憶する。
【００５１】
図２を参照すると、図２は、本発明によるメッセージ処理方法の実施形態の概略流れ図を示す。この実施形態における方法は、ＬＴＥシステムに適用され、この実施形態における方法は、以下を含む。
【００５２】
ステップ２０１：ＭＭＥが、ｅＮＢを使用することによってＵＥによって送信されたＮＡＳメッセージを受信し、ＮＡＳメッセージは、ＵＥによってｅＮＢに送信される接続確立要求の中で伝送され、ＮＡＳメッセージは、ターゲット仮想マシンの識別情報を伝送する。
【００５３】
ターゲット仮想マシンの識別情報は、ＭＭＥにおけるターゲット仮想マシンによって生成され、ＵＥに送信される。前述の実施形態と同様に、ＭＭＥにおけるターゲット仮想マシンがＵＥのＮＡＳメッセージを処理している場合、ターゲット仮想マシンは、これまでに、ターゲット仮想マシンの識別情報をＵＥに戻している。
【００５４】
したがって、ＵＥが、ｅＮＢに接続確立要求を再び送信する際、接続確立要求は、ＭＭＥに送信される必要があるＮＡＳメッセージを含む。加えて、ＭＭＥが、ＵＥにサービスを提供する仮想マシンを再特定することができるために、ＮＡＳメッセージは、ターゲット仮想マシンの識別情報を伝送する必要がある。接続確立要求を受信した後、ｅＮＢは、ＮＡＳメッセージ、およびＮＡＳメッセージによって伝送されるターゲット仮想マシンの識別情報をＭＭＥに送信する。
【００５５】
接続確立要求は、無線リソース制御（ＲＲＣ、Ｒａｄｉｏ  Ｒｅｓｏｕｒｃｅ  Ｃｏｎｔｒｏｌ）接続確立要求である。
【００５６】
ｅＮＢセル内に配置されたＵＥがコアネットワークからサービスを獲得することを可能にするのに、ＵＥは、ｅＮＢに接続確立要求を送信し、接続確立要求は、ＭＭＥに送信される必要があるＮＡＳメッセージを含んで、ｅＮＢを使用することによってＮＡＳメッセージがＭＭＥに送信されるようにする。
【００５７】
ステップ２０２：ＭＭＥが、ＮＡＳメッセージの中で伝送されたターゲット仮想マシンの識別情報に従って、ＭＭＥに配置された複数の仮想マシンからターゲット仮想マシンを決定し、ターゲット仮想マシンにＮＡＳメッセージを割り当てる。
【００５８】
ステップ２０３：ＭＭＥが、ターゲット仮想マシンによって生成された第１の応答メッセージをｅＮＢに戻して、ｅＮＢを使用することによって第１の応答メッセージをＵＥに送信する。
【００５９】
ステップ２０２およびステップ２０３の方法は、前述の実施形態におけるものと同様であり、詳細について、本明細書において再び説明されることはない。
【００６０】
実際的なアプリケーションにおいて、ＭＭＥの関連する識別子がＵＥの中に保存されていない場合、接続確立要求の中に含められたＮＡＳメッセージは、ＵＥが接続確立要求をｅＮＢに送信する際、いずれのＭＭＥの識別情報も伝送せず、ｅＮＢが、ｅＮＢに対してＳ１インターフェースを確立するＭＭＥからＭＭＥを選択し、ＮＡＳメッセージをＭＭＥに送信して、ＭＭＥが、ｅＮＢを使用することによって、ＵＥによって送信されたＮＡＳメッセージを受信することができるようにすることが理解される。
【００６１】
ＭＭＥの関連する識別子がＵＥの中に保存されている場合、ＮＡＳメッセージは、ＭＭＥの関連する識別情報を伝送し、ｅＮＢが、ＭＭＥの識別情報に従って、対応するＭＭＥを選択し、ＮＡＳメッセージをＭＭＥに送信する。以上の方法は、既存のｅＮＢが、ＵＥによって送信された接続確立要求を処理する方法と同様であり、詳細について、本明細書において再び説明されることはない。
【００６２】
したがって、ｅＮＢが、接続確立要求を受信した後、ターゲット仮想マシンが配置されているＭＭＥを決定することができるために、ＵＥによって送信される接続確立要求は、ＮＡＳメッセージと、ＭＭＥの識別情報と、ターゲット仮想マシンの識別情報とを含む。特に、ターゲット仮想マシンの指示情報を伝送することに加えて、ＮＡＳメッセージは、ＭＭＥの識別情報を伝送する必要もあることである。ｅＮＢは、ＮＡＳの中で伝送されるＭＭＥの識別情報に従って、ｅＮＢに対してＳ１インターフェースを確立する複数のＭＭＥからＭＭＥを決定し、ＮＡＳメッセージ、およびターゲット仮想マシンの識別情報をＭＭＥに送信する。
【００６３】
オプションとして、このアプリケーションのこの実施形態において、ＮＡＳメッセージがＭＭＥの識別情報を伝送することは、特に、ＮＡＳメッセージがグローバルに一意の一時的属性情報（ＧＵＴＩ、Ｇｌｏｂａｌｌｙ  Ｕｎｉｑｕｅ  Ｔｅｍｐｏｒａｒｙ  ＵＥ  Ｉｄｅｎｔｉｔｙ）を伝送することであり、ＧＵＴＩは、ターゲット仮想マシンを識別する識別コードを含む。ＵＥが接続確立要求を送信する際に接続確立要求がＧＵＴＩを含む従来技術と同様に、このアプリケーションにおいて、接続確立要求は、やはり、ＧＵＴＩを含む必要がある。違いは、ＧＵＴＩがターゲット仮想マシンの識別コードを含むことにあり、したがって、ＭＭＥが、ＧＵＴＩからターゲット仮想マシンの識別コードを獲得し、次に、ＭＭＥに配置された複数の仮想マシンからターゲット仮想マシンを決定する。
【００６４】
ＧＵＴＩは、ターゲット仮想マシンの識別コードを含み、このことが、ＵＥ側の接続確立方法が変えられない事例において、ＭＭＥが、ＵＥに対応するターゲット仮想マシンを再特定することを可能にする。
【００６５】
ＧＵＴＩがターゲット仮想マシンの識別コードを含む手法は、ターゲット仮想マシンにおける指定されたビットが、ターゲット仮想マシンを識別するビットとして使用され、その指定されたビットは、１または複数のビットである。指定されたビットは、ターゲット仮想マシンの識別コードと同一に設定され、したがって、ＧＵＴＩは、ターゲット仮想マシンの識別コードを含む。ＧＵＴＩを再び獲得する際、ＭＭＥは、ＧＵＴＩの中の指定されたビットの数に従って、その指定されたビットの数に対応する仮想マシンの識別子を決定する。
【００６６】
ＧＵＴＩは、グローバルに一意のモビリティ管理エンティティ識別子（ＧＵＭＭＥＩ、Ｇｌｏｂａｌｌｙ  Ｕｎｉｑｕｅ  ＭＭＥ  Ｉｄｅｎｔｉｆｉｅｒ）または短い一時的モバイル加入者属性情報（Ｓ−ＴＭＳＩ、Ｓｈｏｒｔ  Ｔｅｍｐｏｒａｒｙ  Ｍｏｂｉｌｅ  Ｓｕｂｓｃｒｉｂｅｒ  Ｉｄｅｎｔｉｔｙ）を含む。ＧＵＭＭＩとＳ−ＴＭＳＩの両方が、モビリティ管理エンティティコード（ＭＭＥＣ、ＭＭＥ  Ｃｏｄｅ）を含み、ＭＭＥＣは、ＭＭＥを一意に識別するのに使用される。オプションとして、ＧＵＴＩがターゲット仮想マシンの識別情報を含むことは、ＧＵＴＩの中のＧＵＭＭＩまたはＳ−ＴＭＳＩの中に含められたＭＭＥＣが、ターゲット仮想マシンの識別コードを含むことである。特に、ＭＭＥＣの指定されたビットが、ターゲット仮想マシンを識別するのに使用される。
【００６７】
例えば、ＭＭＥＣは、概して、８ビットを有し、次に、ＭＭＥＣを表すビットのある部分が、ターゲット仮想マシンの識別コードを表すのに使用される。例えば、ＭＭＥＣを表す８ビットの最初の６ビットが、なおも、ＭＭＥを識別するのに使用され、ＭＭＥＣの最後の２ビットが、ＭＭＥにおける仮想マシンを識別するのに使用される。
【００６８】
実際的なアプリケーションにおいて、ＵＥが、ｅＮＢに接続確立要求を送信した後、ｅＮＢは、ＧＵＴＩなどの、接続確立要求に含められたターゲット仮想マシンの識別情報をＭＭＥに送信しない。したがって、ｅＮＢが、ＵＥによって送信され、ターゲット仮想マシンの識別情報を伝送するＮＡＳメッセージを受信した後、ｅＮＢが、ターゲット仮想マシンの識別情報をＭＭＥに常に送信することを確実にするのに、ＭＭＥは、ＭＭＥがｅＮＢに対してＳ１インターフェースを確立する方法の間に仮想マシン指示をｅＮＢに送信し、仮想マシン指示は、複数の仮想マシンが、ＭＭＥに配置されていることをｅＮＢに通知し、毎回、ＮＡＳメッセージの中で伝送されるターゲット仮想マシンの識別情報をＭＭＥに送信するようｅＮＢに指示するのに使用される。
【００６９】
このアプリケーションのこの実施形態において、ＵＥによって送信され、ＮＡＳメッセージの中で伝送されるターゲット仮想マシンの識別情報は、ＭＭＥにおけるターゲット仮想マシンによって生成され、ＵＥに戻される。
【００７０】
オプションとして、ＭＭＥが、ターゲット仮想マシンの識別情報を含まないＮＡＳメッセージを受信すると、ＭＭＥは、ＭＭＥに配置された複数の仮想マシンから仮想マシンを、ＮＡＳを処理するターゲット仮想マシンとして選択する。例えば、仮想マシンは、ターゲット仮想マシンとしてランダムに選択され、またはターゲット仮想マシンは、負荷分散原理に従って選択される。この事例において、ＭＭＥは、ＮＡＳメッセージを処理するターゲット仮想マシンにＮＡＳメッセージを割り当てる。ＮＡＳメッセージを処理した後、ターゲット仮想マシンは、ＮＡＳメッセージに対応する第１の応答メッセージを生成し、ターゲット仮想マシンの識別情報を生成する。ターゲットＭＭＥが、ｅＮＢを使用することによって第１の応答メッセージ、およびターゲット仮想マシンの識別情報をＵＥに戻した後、ＵＥが、ターゲット仮想マシンの受信された識別情報を記憶し、したがって、ＵＥが接続確立要求を再び開始する際、接続確立要求は、ターゲット仮想マシンの識別情報を伝送するＮＡＳメッセージを含む。
【００７１】
実際的なアプリケーションにおいて、ＭＭＥの仮想マシンについての情報が変わり、したがって、仮想マシンの識別情報を変えさせた場合、ターゲット仮想マシンが、やはり、ＮＡＳメッセージを処理することによって生成された第１の応答メッセージを戻す前に、ターゲット仮想マシンの識別情報を再生成し、ターゲット仮想マシンの識別情報と、ＭＭＥによって更新された第１の応答メッセージの両方をＵＥに戻し、したがって、ＵＥが、ＵＥの中に記憶されたターゲット仮想マシンの識別情報を更新する。
【００７２】
もちろん、毎回、ＮＡＳの第１の応答メッセージを戻す前に、ターゲット仮想マシンが、ターゲット仮想マシンの識別情報を生成することもある。ＭＭＥは、ｅＮＢを使用することによって、ターゲット仮想マシンの生成された識別情報、および第１の応答メッセージをＵＥに戻す。したがって、この実施形態において、ＭＭＥによってｅＮＢに戻される第１の応答メッセージは、ターゲット仮想マシンものでありターゲット仮想マシンによって生成された、識別情報をさらに伝送する。
【００７３】
図３を参照すると、図３は、本発明によるメッセージ処理方法の別の実施形態の概略流れ図を示す。この実施形態における方法は、ＬＴＥシステムに適用され、この実施形態における方法は、以下を含む。
【００７４】
ステップ３０１：ＭＭＥが、発展型ノードＢ  ｅＮＢによって送信され、ＵＥによって送信されたＮＡＳメッセージを伝送する第１のメッセージを受信し、第１のメッセージは、ターゲット仮想マシンの識別情報をさらに伝送する。
【００７５】
ターゲット仮想マシンの識別情報は、ターゲット仮想マシンによって生成され、ＭＭＥによってｅＮＢに送信され、ｅＮＢの中に記憶される識別情報である。特に、ターゲット仮想マシンの識別情報は、ターゲット仮想マシンが、ＵＥによって送信されたＮＡＳメッセージを処理した後に生成される識別情報であり、ターゲット仮想マシンは、現在の時間より前にＵＥによって送信されたＮＡＳメッセージを処理し、ＭＭＥは、ターゲット仮想マシンものでありターゲット仮想マシンによって生成された、識別情報をｅＮＢに戻し、ｅＮＢは、ターゲット仮想マシンの識別情報を記憶する。
【００７６】
実際的なアプリケーションにおいて、ＵＥとｅＮＢの間で接続が確立される、例えば、ＵＥとｅＮＢの間でＲＲＣ接続が確立される事例において、ＵＥによってｅＮＢに送信されるＮＡＳメッセージは、ターゲット仮想マシンの識別情報を伝送する必要がない。ｅＮＢは、ＮＡＳメッセージを送信する際にＵＥによって占有されるリソースブロック、エアインターフェースリソース、物理チャネルなどに従ってＵＥを認識し、ＵＥに対応するＭＭＥ、およびターゲット仮想マシンの識別情報を決定し、次に、第１のメッセージをそのＭＭＥに送信する。ＮＡＳメッセージを含むことに加えて、第１のメッセージは、ｅＮＢによって決定されたターゲット仮想マシンの識別情報をさらに含む。
【００７７】
ステップ３０２：ＭＭＥが、第１のメッセージの中で伝送されるターゲット仮想マシンの識別情報に従って、ＭＭＥに配置された複数の仮想マシンからターゲット仮想マシンを決定し、ターゲット仮想マシンにＮＡＳメッセージを割り当てる。
【００７８】
ＭＭＥが、ｅＮＢによって送信された第１のメッセージの中で伝送されるターゲット仮想マシンの識別情報に従って、ＮＡＳメッセージを処理することができるターゲット仮想マシンを決定して、ＭＭＥの中にあり、これまでに、ＵＥにサービスを提供しているターゲット仮想マシンを再特定するようにして、正常なメッセージ処理を確実にする。
【００７９】
ステップ３０３：ＭＭＥが、ターゲット仮想マシンによって生成された第１の応答メッセージをｅＮＢに戻して、ｅＮＢを使用することによって第１の応答メッセージをＵＥに送信する。
【００８０】
ＭＭＥとｅＮＢの間でＳ１インターフェースが確立され、Ｓ１インターフェースを使用してＭＭＥとｅＮＢの間でメッセージが転送される。従来技術において、第１の応答メッセージをｅＮＢに戻す際、ＭＭＥは、Ｓ１インターフェースを使用することによってｅＮＢに、ＭＭＥ内でＳ１インターフェース上でＵＥを一意に識別する識別子ＭＭＥ  ＵＥ  Ｓ１ＡＰ  ＩＤ（ＭＭＥ  ＵＥ  Ｓ１ＡＰ  ＩＤ、Ｕｎｉｑｕｅ  Ｉｄｅｎｔｉｔｙ  ｏｆ  ｔｈｅ  ＵＥ  ｏｖｅｒ  ｔｈｅ  Ｓ１  Ｉｎｔｅｒｆａｃｅ  ｗｉｔｈｉｎ  ＭＭＥ）を戻すこともする。加えて、ＵＥとｅＮＢの間で接続が確立される事例において、ｅＮＢが、ＵＥに対応するＭＭＥ  ＵＥ  Ｓ１ＡＰ  ＩＤを決定し、ＭＭＥ  ＵＥ  Ｓ１ＡＰ  ＩＤをＮＡＳメッセージと一緒にＭＭＥに送信する。
【００８１】
したがって、伝送されるデータ量を低減するのに、ターゲット仮想マシンは、ＭＭＥ  ＵＥ  Ｓ１ＡＰ  ＩＤを生成し、ＭＭＥ  ＵＥ  Ｓ１ＡＰ  ＩＤは、ターゲット仮想マシンにおいて、Ｓ１インターフェース上でＵＥを一意に識別するのに使用される。従来技術との違いは、ＭＭＥ  ＵＥ  Ｓ１ＡＰ  ＩＤがターゲット仮想マシンの識別情報を含むことである。ＭＭＥ  ＵＥ  Ｓ１ＡＰ  ＩＤの中のビットのある部分が、なおも、ターゲット仮想マシンにおいて、Ｓ１インターフェース上でＵＥを一意に識別するのに使用される場合、ＭＭＥ  ＵＥ  Ｓ１ＡＰ  ＩＤの中のビットの別の部分が、ターゲット仮想マシンを識別するのに使用される。
【００８２】
ターゲット仮想マシンは、ターゲット仮想マシンの識別情報を含むＭＭＥ  ＵＥ  Ｓ１ＡＰ  ＩＤを保存する。したがって、第１のメッセージがターゲット仮想マシンの識別情報をさらに伝送することは、第１のメッセージが、ＭＭＥ内でＳ１インターフェース上でＵＥを一意に識別する識別子ＭＭＥ  ＵＥ  Ｓ１ＡＰ  ＩＤを伝送することであり、ＭＭＥ  ＵＥ  Ｓ１ＡＰ  ＩＤは、ターゲット仮想マシンを識別する識別コードを含む。
【００８３】
前述の実施形態のうちのいずれかの実施形態において、ＵＥまたはｅＮＢが、ターゲット仮想マシンものでありターゲット仮想マシンによって生成された、識別情報を保存することが、説明のための例として使用される。ＭＭＥにおけるターゲット仮想マシンが、ＵＥのためにターゲット仮想マシンの識別子を生成し、戻す方法のより良好な理解のため、図４の参照が行われる。図４は、本発明によるメッセージ処理方法の別の実施形態におけるシグナリングインターワーキングの図を示す。ＵＥが、ＭＭＥの識別子もターゲット仮想マシンの識別子も記憶しないことが、この実施形態における方法における例として使用される。この実施形態における方法は、以下を含む。
【００８４】
ステップ４０１：ＵＥが、ＮＡＳメッセージを伝送するＲＲＣ接続確立要求をｅＮＢに送信する。
【００８５】
ＲＲＣ接続確立要求は、いずれのＭＭＥの識別情報も、ＭＭＥにおけるターゲット仮想マシンの識別情報も含まない。
【００８６】
ステップ４０２：ｅＮＢが、ＵＥに、ｅＮＢ内でＳ１インターフェース上でＵＥを一意に識別する識別子ｅＮＢ  ＵＥ  Ｓ１ＡＰ  ＩＤ（ｅＮＢ  ＵＥ  Ｓ１ＡＰ  ＩＤ、Ｕｎｉｑｕｅ  Ｉｄｅｎｔｉｔｙ  ｏｆ  ｔｈｅ  ＵＥ  ｏｖｅｒ  ｔｈｅ  Ｓ１  Ｉｎｔｅｒｆａｃｅ  ｗｉｔｈｉｎ  ｅＮＢ）を割り当て、ターゲットＭＭＥを選択し、ターゲットＭＭＥに初期ＵＥコンテキストを送信し、初期ＵＥコンテキストは、ＮＡＳメッセージおよびｅＮＢ  ＵＥ  Ｓ１ＡＰ  ＩＤを伝送する。
【００８７】
このアプリケーションにおいて、複数の仮想マシンが、ＳＩインターフェースを使用することによってｅＮＢに接続されたＭＭＥに配置される。
【００８８】
従来技術と同様に、ｅＮＢとＭＭＥの間でＳ１インターフェースが確立されるため、Ｓ１インターフェース上でＵＥを区別するのに、ｅＮＢは、ＵＥに、ｅＮＢ内でＳ１インターフェース上でＵＥを一意に識別する識別子、つまり、ｅＮＢ  ＵＥ  Ｓ１ＡＰ  ＩＤを割り当てる必要がある。
【００８９】
ＲＲＣ接続確立要求は、ＭＭＥの識別情報を含まないため、ｅＮＢは、ｅＮＢに対してＳ１インターフェースを確立する複数のＭＭＥから、ＮＡＳメッセージを処理するＭＭＥをターゲットＭＭＥとして選択し、例えば、ｅＮＢは、複数のＭＭＥからＭＭＥをランダムに選択し、または負荷分散原理に従ってターゲットＭＭＥを選択する。次に、ｅＮＢは、ＮＡＳメッセージと、ｅＮＢ  ＵＥ  Ｓ１ＡＰ  ＩＤとを含む、生成された初期ＵＥコンテキストをターゲットＭＭＥに送信する。もちろん、このステップの特定の方法は、既存の手法のものと同様であり、詳細について、本明細書において再び説明されることはない。
【００９０】
ステップ４０３：ＭＭＥが、ＭＭＥに配置された複数の仮想マシンからターゲット仮想マシンを選択し、処理するためにターゲット仮想マシンにＮＡＳメッセージを割り当てる。
【００９１】
ＭＭＥは、ターゲットＭＭＥである。ＭＭＥが初期コンテキストを受信した後、初期コンテキストも、ターゲット仮想マシンの識別情報を含まないので、ＭＭＥは、ＵＥによって送信されたＮＡＳメッセージを処理するターゲット仮想マシンを複数の仮想マシンから選択する必要がある。例えば、ＭＭＥは、複数の仮想マシンから仮想マシンをターゲット仮想マシンとしてランダムに選択し、またはＭＭＥは、負荷分散原理に従って複数の仮想マシンから、最小の負荷を有する仮想マシンをターゲット仮想マシンとして選択する。
【００９２】
ステップ４０４：ＭＭＥが、ターゲット仮想マシンによって生成された確認応答をｅＮＢに戻す。
【００９３】
確認応答は、ＮＡＳメッセージに対応する第１の応答メッセージと、ＭＭＥ  ＵＥ  Ｓ１ＡＰ  ＩＤと、ｅＮＢによって送信されたｅＮＢ  ＵＥ  Ｓ１ＡＰ  ＩＤとを含む。第１の応答メッセージは、ＧＵＴＩを伝送し、ＧＵＴＩは、ターゲット仮想マシンの識別情報を含む。ＭＭＥ  ＵＥ  Ｓ１ＡＰ  ＩＤは、ターゲット仮想マシンの識別情報を含む。
【００９４】
ターゲット仮想マシンがＮＡＳメッセージを処理する方法は、既存のＭＭＥがＮＡＳメッセージを処理する方法と同様である。違いは、ターゲット仮想マシンは、生成されたＧＵＴＩとＭＭＥ  ＵＥ  Ｓ１ＡＰ  ＩＤの両方がターゲット仮想マシンの識別情報を含むことをさらに要求することである。
【００９５】
戻される識別子がＭＭＥ  ＵＥ  Ｓ１ＡＰ  ＩＤであり、ＭＭＥ  ＵＥ  Ｓ１ＡＰ  ＩＤがターゲット仮想マシンの識別子を含む例が、説明のためにこの実施形態において使用されることを理解されたい。実際のアプリケーションにおいて、ＭＭＥによってｅＮＢに戻される識別子は、やはり、ＭＭＥ  ＵＥ  Ｓ１ＡＰ  ＩＤを含む識別子であり、やはり、ターゲット仮想マシンの識別情報を含む。
【００９６】
ステップ４０５：ｅＮＢが、ｅＮＢ  ＵＥ  Ｓ１ＡＰ  ＩＤとＭＭＥ  ＵＥ  Ｓ１ＡＰ  ＩＤの間の関連付け関係を記憶し、ＵＥに第１の応答メッセージを戻して、ＵＥに対するＲＲＣ接続を完成する。
【００９７】
ステップ４０６：ＵＥが、第１の応答メッセージの中で伝送されるＧＵＴＩを記憶する。
【００９８】
ＧＵＴＩは、ターゲット仮想マシンの識別情報を含む。もちろん、ＧＵＴＩは、第１の応答メッセージを戻すＭＭＥの識別情報も含む。
【００９９】
ＵＥがＧＵＴＩを記憶した後、ＵＥが、ｅＮＢに対して接続確立要求を再び開始する際、ＧＵＴＩは、接続確立要求の中に含められ、したがって、ｅＮＢは、ＧＵＴＩに従って、ＵＥに対応するＭＭＥを再特定し、ＭＭＥは、ＧＵＴＩの中のターゲット仮想マシンの識別情報に従ってターゲット仮想マシンを決定する。
【０１００】
この実施形態において、例において、ターゲット仮想マシンの識別情報を伝送する第１の応答メッセージは、第１の応答メッセージがＧＵＴＩを伝送することであり、ＧＵＴＩが、ターゲット仮想マシンの識別情報を含む。第１の応答メッセージが、別の手法においてターゲット仮想マシンの識別情報を伝送する場合、ＭＭＥがターゲット仮想マシンの識別情報をＵＥに戻す方法は、図４の実施形態における手法と同様である。
【０１０１】
図４における実施形態に基づいて、ＵＥがｅＮＢに対するＲＲＣ接続を完成するという前提で、ＵＥがＭＭＥにＮＡＳメッセージを送信する必要がある場合、ＵＥによってｅＮＢに送信されるＮＡＳメッセージは、ＭＭＥの識別子も、ターゲット仮想マシンの識別情報も伝送する必要がない。ｅＮＢは、ＮＡＳメッセージを送信する際にＵＥによって占有されるリソースブロック、エアインターフェースリソース、物理チャネルなどに従って、ＵＥに対応するｅＮＢ  ＵＥ  Ｓ１ＡＰ  ＩＤを認識し、ｅＮＢ  ＵＥ  Ｓ１ＡＰ  ＩＤに従ってＭＭＥ  ＵＥ  Ｓ１ＡＰ  ＩＤを決定し、ＭＭＥ  ＵＥ  Ｓ１ＡＰ  ＩＤと、ＮＡＳメッセージとを含む第１のメッセージを生成し、その後、第１のメッセージをＭＭＥに送信する。特定の方法に関して、図３における実施形態の関連する説明の参照が行われ、詳細について、本明細書において再び説明されることはない。
【０１０２】
ＵＥがｅＮＢに接続確立要求を送信し、ＵＥによって送信される接続確立要求がターゲット仮想マシンの識別情報を含まない例が、ＭＭＥがターゲット仮想マシンの識別情報をＵＥおよびｅＮＢに戻す方法を概説するのにこの実施形態において使用されることを理解されたい。ＭＭＥが仮想マシンの識別情報を伝送するＮＡＳメッセージを受信する際、ＭＭＥが、ステップ４０３においてターゲット仮想マシンを選択する方法だけが異なる。ＭＭＥがターゲット仮想マシンを選択した後、ターゲット仮想マシンがターゲット仮想マシンの識別情報を生成し、ターゲット仮想マシンの識別情報をＵＥに戻す方法は、図４における実施形態におけるものと同一である。
【０１０３】
本発明は、モビリティ管理エンティティ選択方法をさらに提供する。図５を参照すると、図５は、本発明によるモビリティ管理エンティティ選択方法の実施形態の概略流れ図を示す。この実施形態における方法は、以下を含む。
【０１０４】
ステップ５０１：発展型ノードＢ  ｅＮＢが、ユーザ機器ＵＥによって送信された接続確立要求を受信する。
【０１０５】
接続確立要求は、ＵＥによってモビリティ管理エンティティＭＭＥに送信される必要がある非アクセス層ＮＡＳメッセージおよび第１の識別情報を伝送する。複数の仮想マシンが、ＭＭＥに配置される。第１の識別情報は、ＭＭＥを識別する識別情報、およびＭＭＥにおけるターゲット仮想マシンを識別する識別情報を含む。
【０１０６】
第１の識別情報は、ターゲット仮想マシンによって生成され、ＵＥに送信される。ターゲット仮想マシンは、ＭＭＥにおける仮想マシンであり、ＵＥによって送信されたＮＡＳメッセージを処理する。現在の時間より前にＵＥによって送信されたＮＡＳメッセージを処理する方法では、ターゲット仮想マシンは、ターゲット仮想マシンの識別情報と、ＭＭＥの識別情報とを含む第１の識別情報を生成し、生成された第１の識別情報をＵＥに戻す。ターゲット仮想マシンが、ターゲット仮想マシンの識別情報と、ＭＭＥの識別情報とを含む第１の識別情報を生成する特定の方法に関して、前述の実施形態における関連する概説の参照が行われ、詳細について、本明細書において再び説明されることはない。
【０１０７】
ステップ５０２：ｅＮＢが、接続確立要求の中で伝送される第１の識別情報からＭＭＥの識別情報を認識し、ＭＭＥの識別情報に従って、ｅＮＢに対してＳ１インターフェースを確立する複数のＭＭＥからＭＭＥを決定する。
【０１０８】
従来技術との違いは、ＭＭＥの識別情報を含むことに加えて、第１の識別情報は、ターゲット仮想マシンの識別情報をさらに含むことである。したがって、ｅＮＢは、第１の識別情報からＭＭＥの識別情報を表すフィールドの部分を認識し、ＭＭＥの識別情報を最終的に決定し、その後、ＭＭＥの識別情報に従って、ＮＡＳメッセージを受信する必要あがるＭＭＥを決定する必要がある。
【０１０９】
ステップ５０３：ｅＮＢが、ＮＡＳメッセージおよび第１の識別情報をＭＭＥに送信し、したがって、ＭＭＥが、第１の識別情報の中のターゲット仮想マシンの識別情報に従って、複数の仮想マシンから、ＮＡＳメッセージを処理するターゲット仮想マシンを選択する。
【０１１０】
この実施形態において、ｅＮＢによって受信される接続確立要求は、第１の識別情報を伝送し、第１の識別情報は、ＭＭＥの識別情報を含み、ＭＭＥにおけるターゲット仮想マシンの識別情報をさらに含む。ＭＭＥの識別情報を認識した後、ｅＮＢは、ＭＭＥの識別情報に従って、ｅＮＢに対してＳ１インターフェースを確立する複数のＭＭＥからＭＭＥを決定し、第１の識別情報をＭＭＥに送信し、したがって、ＭＭＥが、第１の識別情報の中のターゲット仮想マシンの識別情報に従って、複数の仮想マシンからターゲット仮想マシンを決定することができ、このことが、ＵＥに対応するターゲット仮想マシンを再特定することを可能にし、したがって、メッセージ処理の信頼性を確実にする。
【０１１１】
オプションとして、第１の識別情報は、グローバルに一意の一時的属性情報ＧＵＴＩであり、ＧＵＴＩは、ＭＭＥを識別する識別コード、およびターゲット仮想マシンを識別する識別コードを含み、
したがって、ｅＮＢが、第１の識別情報からＭＭＥの識別情報を認識することは、ｅＮＢが、ＧＵＴＩの中にありＭＭＥを識別する、事前設定された識別コードを認識して、ＭＭＥの識別コードを決定することである。
【０１１２】
さらには、ＧＵＴＩは、グローバルに一意のモビリティ管理エンティティ識別子ＧＵＭＭＥＩまたは短い一時的モバイル加入者属性情報Ｓ−ＴＭＳＩを含むため、ＧＵＭＭＥＩまたはＳ−ＴＭＳＩの中のモビリティ管理エンティティコードＭＭＥＣが、ターゲット仮想マシンを識別する識別コード、およびＭＭＥを識別する識別コードを含む。
【０１１３】
したがって、ｅＮＢは、ＧＵＴＩの中のＧＵＭＭＥＩまたはＳ−ＴＭＳＩからＭＭＥＣを抽出し、ＭＭＥＣの中の識別コードものでありＭＭＥを識別するのに使用される、指定された部分を認識して、ＭＭＥの識別コードを決定する。
【０１１４】
本発明におけるメッセージ処理方法に対応して、本発明は、メッセージ処理装置をさらに提供する。図６を参照すると、図６は、本発明によるメッセージ処理装置の実施形態の概略構造図を示す。この実施形態における装置は、モビリティ管理エンティティＭＭＥに適用され、この実施形態における装置は、受信ユニット６０１と、処理ユニット６０２と、送信ユニット６０３とを含む。
【０１１５】
受信ユニット６０１は、発展型ノードＢ  ｅＮＢによって送信された第１のメッセージを受信するように構成され、複数の仮想マシンが、ＭＭＥに配置され、第１のメッセージは、ユーザ機器ＵＥによって送信された非アクセス層ＮＡＳメッセージ、およびターゲット仮想マシンの識別情報を含み、ターゲット仮想マシンの識別情報は、ＭＭＥにおけるターゲット仮想マシンによって生成される。
【０１１６】
処理ユニット６０２は、ターゲット仮想マシンの識別情報に従って、複数の仮想マシンからターゲット仮想マシンを決定し、処理するためにターゲット仮想マシンに非アクセス層メッセージを割り当てるように構成される。
【０１１７】
送信ユニット６０３は、ターゲット仮想マシンによって生成された第１の応答メッセージをｅＮＢに戻すように構成され、したがって、第１の応答メッセージは、ｅＮＢを使用することによってＵＥに送信される。
【０１１８】
オプションとして、装置は、
ターゲット仮想マシンものでありターゲット仮想マシンによって生成された、識別情報を受信するように構成された識別獲得ユニットと、
送信ユニットがｅＮＢに第１の応答メッセージを送信する際、ターゲット仮想マシンものでありターゲット仮想マシンによって生成された、識別情報をｅＮＢに戻すように構成された第１の識別送信ユニットと
をさらに含む。
【０１１９】
オプションとして、装置は、
ターゲット仮想マシンによって更新されたターゲット仮想マシンの識別情報を受信するように構成された識別更新ユニットと、
送信ユニットがｅＮＢに第１の応答メッセージを送信する際、ターゲット仮想マシンの更新された識別情報をｅＮＢに戻すように構成された第２の識別送信ユニットと
をさらに含む。
【０１２０】
本発明のメッセージ処理装置の可能な手法に対応して、受信ユニットは、
発展型ノードＢ  ｅＮＢを使用することによって、ユーザ機器ＵＥによって送信されたＮＡＳメッセージを受信するように構成された第１の受信ユニットであって、ＮＡＳメッセージが、ＵＥによってｅＮＢに送信される接続確立要求の中で伝送され、ＮＡＳメッセージが、ターゲット仮想マシンの識別情報を伝送し、ターゲット仮想マシンの識別情報が、ＭＭＥにおけるターゲット仮想マシンによって生成され、記憶するためにＭＭＥによってＵＥに送信される、第１の受信ユニット
を含む。
【０１２１】
オプションとして、ＮＡＳメッセージは、ＭＭＥの識別情報をさらに伝送する。
【０１２２】
オプションとして、第１の受信ユニットによって受信されるＮＡＳメッセージがターゲット仮想マシンの識別情報を伝送することは、ＮＡＳメッセージが、グローバルに一意の一時的属性情報ＧＵＴＩを伝送することであって、ＧＵＴＩが、ターゲット仮想マシンを識別する識別コードを含む、伝送することである。
【０１２３】
さらには、グローバルに一意の一時的属性情報ＧＵＴＩは、グローバルに一意のモビリティ管理エンティティ識別子ＧＵＭＭＥＩまたは短い一時的モバイル加入者属性情報Ｓ−ＴＭＳＩを含むため、ＧＵＭＭＥＩまたはＳ−ＴＭＳＩの中のモビリティ管理エンティティコードＭＭＥＣは、ターゲット仮想マシンを識別する識別コードを含む。
【０１２４】
本発明のメッセージ処理装置の可能な手法に対応して、受信ユニットは、
発展型ノードＢ  ｅＮＢによって送信され、ＮＡＳメッセージを伝送する第１のメッセージを受信するように構成された第２の受信ユニットであって、第１のメッセージが、ターゲット仮想マシンの識別情報をさらに伝送し、ターゲット仮想マシンの識別情報が、ターゲット仮想マシンによって生成され、記憶するためにＭＭＥによってｅＮＢに送信される、第２の受信ユニット
を含む。
【０１２５】
ＭＭＥとｅＮＢの間でＳ１インターフェースが確立される。第２の受信ユニットによって受信される第１のメッセージがターゲット仮想マシンの識別情報をさらに伝送することは、第１のメッセージが、ＭＭＥ内でＳ１インターフェース上でＵＥを一意に識別する識別子ＭＭＥ  ＵＥ  Ｓ１ＡＰ  ＩＤを伝送することであって、ＭＭＥ  ＵＥ  Ｓ１ＡＰ  ＩＤが、ターゲット仮想マシンを識別する識別コードを含む、伝送することである。
【０１２６】
本発明におけるＭＭＥ選択方法に対応して、本発明は、ＭＭＥ選択装置をさらに提供する。図７を参照すると、図７は、本発明によるＭＭＥ選択装置の実施形態の概略構造図を示す。この実施形態における装置は、発展型ノードＢ  ｅＮＢに適用される。この実施形態における装置は、受信ユニット７０１と、認識ユニット７０２と、送信ユニット７０３とを含む。
【０１２７】
受信ユニット７０１は、ユーザ機器ＵＥによって送信された接続確立要求を受信するように構成され、接続確立要求は、ＵＥによってモビリティ管理エンティティＭＭＥに送信される必要がある非アクセス層ＮＡＳメッセージおよび第１の識別情報を伝送し、複数の仮想マシンが、ＭＭＥに配置され、第１の識別情報は、ＭＭＥを識別する識別情報、およびＭＭＥにおけるターゲット仮想マシンを識別する識別情報を含み、第１の識別情報は、ターゲット仮想マシンによって生成され、ＵＥに送信される。
【０１２８】
認識ユニット７０２は、第１の識別情報からＭＭＥの識別情報を認識し、ＭＭＥの識別情報に従って、ｅＮＢに対してＳ１インターフェースを確立する複数のＭＭＥからＭＭＥを決定するように構成される。
【０１２９】
送信ユニット７０３は、ＭＭＥに非アクセス層メッセージおよび第１の識別情報を送信するように構成され、したがって、ＭＭＥが、第１の識別情報の中のターゲット仮想マシンの識別情報に従って、複数の仮想マシンから、ＮＡＳメッセージを処理するターゲット仮想マシンを選択する。
【０１３０】
オプションとして、第１の識別情報は、グローバルに一意の一時的属性情報ＧＵＴＩであり、ＧＵＴＩは、ＭＭＥを識別する識別コード、およびターゲット仮想マシンを識別する識別コードを含み、
したがって、認識ユニットは、
ＧＵＴＩの中にありＭＭＥを識別する、事前設定された識別コードを認識して、ＭＭＥの識別コードを決定するように構成された第１の認識ユニットを含む。
【０１３１】
さらには、グローバルに一意の一時的属性情報ＧＵＴＩは、グローバルに一意のモビリティ管理エンティティ識別子ＧＵＭＭＥＩまたは短い一時的モバイル加入者属性情報Ｓ−ＴＭＳＩを含むため、ＧＵＭＭＥＩまたはＳ−ＴＭＳＩの中のモビリティ管理エンティティコードＭＭＥＣは、ターゲット仮想マシンを識別する識別コード、およびＭＭＥを識別する識別コードを含む。
【０１３２】
したがって、第１の認識ユニットは、
ＧＵＴＩの中のＧＵＭＭＥＩまたはＳ−ＴＭＳＩからＭＭＥＣを抽出し、ＭＭＥＣの中の識別コードものでありＭＭＥを識別するのに使用される、指定された部分を認識して、ＭＭＥの識別コードを決定する第１の認識サブユニットを含む。
【０１３３】
別の態様によれば、本発明は、モビリティ管理エンティティをさらに提供する。図８を参照すると、図８は、本発明によるモビリティ管理エンティティの実施形態の概略構造図を示す。この実施形態において複数の仮想マシンが、モビリティ管理エンティティ８００に配置され、モビリティ管理エンティティは、受信機８０１と、プロセッサ８０２と、送信機８０３とを少なくとも含む。
【０１３４】
受信機８０１と送信機８０２の両方が、プロセッサ８０２に接続される。
【０１３５】
受信機８０１は、発展型ノードＢ  ｅＮＢを使用することによって、ユーザ機器ＵＥによって送信された第１のメッセージを受信するように構成され、第１のメッセージは、ユーザ機器ＵＥによって送信された非アクセス層ＮＡＳメッセージ、およびターゲット仮想マシンの識別情報を含み、ターゲット仮想マシンの識別情報は、ＭＭＥにおけるターゲット仮想マシンによって生成される。
【０１３６】
プロセッサ８０２は、受信機によって受信された第１のメッセージからターゲット仮想マシンの識別情報を獲得し、ターゲット仮想マシンの識別情報に従って、複数の仮想マシンからターゲット仮想マシンを選択し、処理するためにターゲット仮想マシンに第１のアタッチ要求を割り当てるように構成される。
【０１３７】
送信機８０３は、ターゲット仮想マシンによって生成された第１の応答メッセージをｅＮＢに戻すように構成され、したがって、第１の応答メッセージは、ｅＮＢを使用することによってＵＥに送信される。
【０１３８】
オプションとして、第１の応答メッセージは、ターゲット仮想マシンの識別情報を伝送する。
【０１３９】
プロセッサは、本発明のこの実施形態を実施するように構成された中央処理装置ＣＰＵ、特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、または１または複数の集積回路である。
【０１４０】
オプションとして、モビリティ管理エンティティは、メモリと、通信インターフェースと、通信バス（図には示されない）とをさらに含む。
【０１４１】
メモリは、プロセッサ上で実行されるプログラムを記憶するように構成される。メモリは、高速ＲＡＭメモリを含み、不揮発性メモリをさらに含む。
【０１４２】
プロセッサ、受信機、送信機、メモリ、および通信インターフェースは、通信バスを使用することによって相互間の通信を完成する。
【０１４３】
通信インターフェースは、基地局またはコアネットワーク機器などのネットワーク要素と通信するように構成される。
【０１４４】
別の態様によれば、本発明は、基地局をさらに提供する。図９を参照すると、本発明の基地局の実施形態の概略構造図を示す。この実施形態における基地局９００は、受信機９０１と、プロセッサ９０２と、送信機９０３とを少なくとも含む。
【０１４５】
受信機９０１と送信機９０３の両方が、プロセッサ９０２に接続される。
【０１４６】
受信機９０１は、ユーザ機器ＵＥによって送信された接続確立要求を受信するように構成され、接続確立要求は、ＵＥによってモビリティ管理エンティティＭＭＥに送信される必要がある非アクセス層ＮＡＳメッセージおよび第１の識別情報を伝送し、複数の仮想マシンが、ＭＭＥに配置され、第１の識別情報は、ＭＭＥを識別する識別情報、およびＭＭＥにおけるターゲット仮想マシンを識別する識別情報を含み、第１の識別情報は、ターゲット仮想マシンによって生成され、ＵＥに送信される。
【０１４７】
プロセッサ８０２は、受信機によって受信された接続確立要求を獲得し、接続確立要求からＮＡＳメッセージおよび第１の識別情報を抽出し、第１の識別情報からＭＭＥの識別情報を認識し、ＭＭＥの識別情報に従って、基地局に対してＳ１インターフェースを確立する複数のＭＭＥからＭＭＥを決定し、送信機８０３に第１の識別情報およびＮＡＳメッセージを送信するように構成される。
【０１４８】
送信機８０３は、ＮＡＳメッセージおよび第１の識別情報をＭＭＥに送信するように構成され、したがって、ＭＭＥが、第１の識別情報の中のターゲット仮想マシンの識別情報に従って、複数の仮想マシンから、ＮＡＳメッセージを処理するターゲット仮想マシンを選択し、送信機８０３は、ターゲット仮想マシンによって生成された第１の応答メッセージを基地局に戻すように構成され、したがって、第１の応答メッセージは、ｅＮＢを使用することによってＵＥに送信される。
【０１４９】
プロセッサは、本発明のこの実施形態を実施するように構成された中央処理装置ＣＰＵ、特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、または１または複数の集積回路である。
【０１５０】
オプションとして、モビリティ管理エンティティは、メモリと、通信インターフェースと、通信バス（図には示されない）とをさらに含む。
【０１５１】
メモリは、プロセッサ上で実行されるプログラムを記憶するように構成される。メモリは、高速ＲＡＭメモリを含み、不揮発性メモリをさらに含む。
【０１５２】
プロセッサ、受信機、送信機、メモリ、および通信インターフェースは、通信バスを使用することによって相互間の通信を完成する。
【０１５３】
通信インターフェースは、基地局またはコアネットワーク機器などのネットワーク要素と通信するように構成される。
【０１５４】
本明細書における実施形態はすべて、累進的な手法で説明され、実施形態における同一の、または同様の部分に関して、これらの実施形態の参照が行われ、各実施形態は、他の実施形態との違いに焦点を合わせる。実施形態において開示される装置は、実施形態において開示される方法と基本的に同様であり、したがって、簡単に説明され、関連する部分に関して、方法の部分的な説明の参照が行われる。
【０１５５】
当業者は、本明細書において開示される実施形態において説明される例と組み合わせて、ユニットおよびアルゴリズムステップは、電子ハードウェア、コンピュータソフトウェア、またはそれらの組合せによって実施されることにさらに気づいている。ハードウェアとソフトウェアの互換性を明確に説明するのに、前述のことは、機能に従って各例の構成およびステップについて一般的に説明してきた。それらの機能がハードウェアによって実行されるか、ソフトウェアによって実行されるかは、技術的ソリューションの特定のアプリケーションおよび設計制約条件に依存する。当業者は、異なる方法を使用して、各特定のアプリケーションに関する説明される機能を実施するが、実装形態が、本発明の範囲を越えると考えられるべきではない。
【０１５６】
本明細書において開示される実施形態と組み合わせて、方法またはアルゴリズムステップは、ハードウェアによって、プロセッサによって実行されるソフトウェアによって、またはそれらの組合せによって実施される。ソフトウェアモジュールは、ランダムアクセスメモリ（ＲＡＭ）、メモリ、読取り専用メモリ（ＲＯＭ）、電気的プログラマブルＲＯＭ、電気的消去可能プログラマブルＲＯＭ、レジスタ、ハードディスク、リムーバブルディスク、ＣＤ−ＲＯＭ、または当技術分野でよく知られている他の任意の形態の記憶媒体の中に構成される。
【０１５７】
前述の実施形態は、当業者が本発明を実施すること、または使用することを可能にするように説明される。実施形態に対する様々な変形形態が当業者には明白であり、本明細書において定義される一般的な原理は、本発明の趣旨または範囲を逸脱することなく、他の実施形態において実施される。したがって、本発明は、本明細書において説明される実施形態に限定されず、本明細書において開示される原理および新奇性と合致する最も広い範囲まで広がる。
【図１】
2016535479.tif 000003
【図２】
2016535479.tif 000004
【図３】
2016535479.tif 000005
【図４】
2016535479.tif 000006
【図５】
2016535479.tif 000007
【図６】
2016535479.tif 000008
【図７】
2016535479.tif 000009
【図８】
2016535479.tif 000010
【図９】
2016535479.tif 000011
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
メッセージ処理方法において、
モビリティ管理エンティティ（ＭＭＥ）による、発展型ノードＢ  （ｅＮＢ）によって送信された第１のメッセージを受信するステップであって、複数の仮想マシンが、前記ＭＭＥに配置され、前記第１のメッセージが、ユーザ機器ＵＥによって送信された非アクセス層（ＮＡＳ）メッセージ、およびターゲット仮想マシンの識別情報を含み、前記ターゲット仮想マシンの前記識別情報が、前記ＭＭＥにおける前記ターゲット仮想マシンによって生成される、該ステップと、
前記ＭＭＥによる、前記ターゲット仮想マシンの前記識別情報に従って、前記複数の仮想マシンから前記ターゲット仮想マシンを決定し、処理するために前記ターゲット仮想マシンに前記非アクセス層メッセージを割り当てるステップと、
前記ＭＭＥによる、前記ターゲット仮想マシンによって生成された第１の応答メッセージを前記ｅＮＢに戻して、前記第１の応答メッセージが、前記ｅＮＢを使用することによって前記ＵＥに送信されるようにするステップと
を具えたことを特徴とするメッセージ処理方法。
【請求項２】
前記ＭＭＥによる、前記ターゲット仮想マシンによって生成された第１の応答メッセージを前記ｅＮＢに戻すステップの前に、
前記ＭＭＥによる、前記ターゲット仮想マシンものであり前記ターゲット仮想マシンによって生成された、前記識別情報を受信するステップ
をさらに具え、
前記ＭＭＥによる、前記ターゲット仮想マシンによって生成された第１の応答メッセージを前記ｅＮＢに戻すステップに加えて、
前記ＭＭＥによる、前記ターゲット仮想マシンものであり前記ターゲット仮想マシンによって生成された、前記識別情報を前記ｅＮＢに戻すステップ
をさらに具えたことを特徴とする請求項１に記載の方法。
【請求項３】
前記ＭＭＥによる、前記ターゲット仮想マシンによって生成された第１の応答メッセージを前記ｅＮＢに戻すステップの前に、
前記ＭＭＥによる、前記ターゲット仮想マシンによって更新された前記ターゲット仮想マシンの識別情報を受信するステップ
をさらに具え、
前記ＭＭＥによる、前記ターゲット仮想マシンによって生成された第１の応答メッセージを前記ｅＮＢに戻すステップに加えて、
前記ＭＭＥによる、前記ターゲット仮想マシンの前記更新された識別情報を前記ｅＮＢに戻すステップ
をさらに具えたことを特徴とする請求項１に記載の方法。
【請求項４】
モビリティ管理エンティティＭＭＥによる、発展型ノードＢ  （ｅＮＢ）によって送信された第１のメッセージを前記受信するステップは、
前記ＭＭＥによる、前記発展型ノードＢ  （ｅＮＢ）を使用することによって、前記ユーザ機器ＵＥによって送信された前記ＮＡＳメッセージを受信するステップであって、前記ＮＡＳメッセージが、前記ＵＥによって前記ｅＮＢに送信される接続確立要求の中で伝送され、前記ＮＡＳメッセージが、前記ターゲット仮想マシンの前記識別情報を伝送し、前記ターゲット仮想マシンの前記識別情報が、記憶するために前記ＭＭＥによって前記ＵＥに送信される、該ステップ
を具えたことを特徴とする請求項１に記載の方法。
【請求項５】
前記ＮＡＳメッセージが、前記ＭＭＥの前記識別情報をさらに伝送することを特徴とする請求項４に記載の方法。
【請求項６】
前記ＮＡＳメッセージが前記ターゲット仮想マシンの前記識別情報を伝送することは、
前記ＮＡＳメッセージの中で、グローバルに一意の一時的属性情報（ＧＵＴＩ）を伝送することであって、前記ＧＵＴＩが、前記ターゲット仮想マシンを識別する識別コードを含む、該伝送すること
を具えたことを特徴とする請求項４または５に記載の方法。
【請求項７】
前記ＧＵＴＩが、前記ターゲット仮想マシンを識別する識別コードを含むことは、
前記グローバルに一意の一時的属性情報（ＧＵＴＩ）の中に、グローバルに一意のモビリティ管理エンティティ識別子（ＧＵＭＭＥＩ）または短い一時的モバイル加入者属性情報Ｓ−ＴＭＳＩを含むことであって、前記ＧＵＭＭＥＩまたは前記Ｓ−ＴＭＳＩの中のモビリティ管理エンティティコード（ＭＭＥＣ）が、前記ターゲット仮想マシンを識別する前記識別コードを含む、該ＧＵＭＭＥＩまたはＳ−ＴＭＳＩを含むこと
を具えたことを特徴とする請求項６に記載の方法。
【請求項８】
モビリティ管理エンティティ（ＭＭＥ）による、発展型ノードＢ  （ｅＮＢ）によって送信された第１のメッセージを前記受信するステップは、
前記ＭＭＥによる、前記発展型ノードＢ  （ｅＮＢ）によって送信され、前記ＮＡＳメッセージを伝送する前記第１のメッセージを受信するステップであって、前記第１のメッセージが、前記ターゲット仮想マシンの前記識別情報をさらに伝送し、前記ターゲット仮想マシンの前記識別情報が、記憶するために前記ＭＭＥによって前記ｅＮＢに送信される、該ステップ
を具えたことを特徴とする請求項１または２に記載の方法。
【請求項９】
前記ＭＭＥと前記ｅＮＢとの間でＳ１インターフェースが確立される方法であって、
前記第１のメッセージが前記ターゲット仮想マシンの前記識別情報をさらに伝送することは、
前記第１のメッセージの中で、前記ＭＭＥ内で前記Ｓ１インターフェース上で前記ＵＥを一意に識別する識別子ＭＭＥ  ＵＥ  Ｓ１ＡＰ  ＩＤを伝送することであって、前記ＭＭＥ  ＵＥ  Ｓ１ＡＰ  ＩＤが、前記ターゲット仮想マシンを識別する識別コードを含む、該伝送すること
を具えたことを特徴とする請求項８に記載の方法。
【請求項１０】
ＭＭＥ選択方法において、
発展型ノードＢ  （ｅＮＢ）による、ユーザ機器ＵＥによって送信された接続確立要求を受信するステップであって、前記接続確立要求が、前記ＵＥによってモビリティ管理エンティティ（ＭＭＥ）に送信される必要がある非アクセス層（ＮＡＳ）メッセージおよび第１の識別情報を伝送し、複数の仮想マシンが、前記ＭＭＥに配置され、前記第１の識別情報が、前記ＭＭＥを識別する識別情報、および前記ＭＭＥにおけるターゲット仮想マシンを識別する識別情報を含み、前記第１の識別情報が、前記ターゲット仮想マシンによって生成され、記憶するために前記ＵＥに送信される、該ステップと、
前記ｅＮＢによる、前記第１の識別情報から前記ＭＭＥの前記識別情報を認識し、前記ＭＭＥの前記識別情報に従って、前記ｅＮＢに対してＳ１インターフェースを確立する複数のＭＭＥから前記ＭＭＥを決定するステップと、
前記ｅＮＢによる、前記ＭＭＥに前記非アクセス層メッセージおよび前記第１の識別情報を送信して、前記ＭＭＥが、前記第１の識別情報の中の前記ターゲット仮想マシンの前記識別情報に従って、前記複数の仮想マシンから、前記ＮＡＳメッセージを処理する前記ターゲット仮想マシンを選択するステップと
を具えたことを特徴とするＭＭＥ選択方法。
【請求項１１】
前記第１の識別情報が、グローバルに一意の一時的属性情報（ＧＵＴＩ）であり、前記ＧＵＴＩが、前記ＭＭＥを識別する識別コード、および前記ターゲット仮想マシンを識別する識別コードを含み、
前記ｅＮＢによる、前記第１の識別情報から前記ＭＭＥの前記識別情報を前記認識するステップが、
前記ｅＮＢによる、前記ＧＵＴＩの中にあり前記ＭＭＥを識別する、事前設定された識別コードを認識して、前記ＭＭＥの前記識別コードを決定するステップ
を具えたことを特徴とする請求項１０に記載の方法。
【請求項１２】
前記グローバルに一意の一時的属性情報（ＧＵＴＩ）が、グローバルに一意のモビリティ管理エンティティ識別子（ＧＵＭＭＥＩ）または短い一時的モバイル加入者属性情報Ｓ−ＴＭＳＩを含み、前記ＧＵＭＭＥＩまたは前記Ｓ−ＴＭＳＩの中のモビリティ管理エンティティコード（ＭＭＥＣ）が、前記ターゲット仮想マシンを識別する前記識別コード、および前記ＭＭＥを識別する前記識別コードを含み、
前記ｅＮＢによる、前記ＧＵＴＩの中にあり前記ＭＭＥを識別する、事前設定された識別コードを認識して、前記ＭＭＥの前記識別コードを決定する前記ステップが、
前記ｅＮＢによる、前記ＧＵＴＩの中の前記ＧＵＭＭＥＩまたは前記Ｓ−ＴＭＳＩから前記ＭＭＥＣを抽出し、前記ＭＭＥＣの中の前記識別コードものであり前記ＭＭＥを識別するのに使用される、指定された部分を認識して、前記ＭＭＥの前記識別コードを決定するステップ
を具えたことを特徴とする請求項１１に記載の方法。
【請求項１３】
モビリティ管理エンティティＭＭＥに適用されるメッセージ処理装置において、
発展型ノードＢ  ｅＮＢによって送信された第１のメッセージを受信するように構成された受信ユニットであって、複数の仮想マシンが、前記ＭＭＥに配置され、前記第１のメッセージが、ユーザ機器ＵＥによって送信された非アクセス層（ＮＡＳ）メッセージ、およびターゲット仮想マシンの識別情報を含み、前記ターゲット仮想マシンの前記識別情報が、前記ＭＭＥにおける前記ターゲット仮想マシンによって生成される、受信ユニットと、
前記ターゲット仮想マシンの前記識別情報に従って、前記複数の仮想マシンから前記ターゲット仮想マシンを決定し、処理するために前記ターゲット仮想マシンに前記非アクセス層メッセージを割り当てるように構成された処理ユニットと、
前記ターゲット仮想マシンによって生成された第１の応答メッセージを前記ｅＮＢに戻して、前記ｅＮＢを使用することによって前記第１の応答メッセージが前記ＵＥに送信されるようにするように構成された送信ユニットと
を具えたことを特徴とするメッセージ処理装置。
【請求項１４】
前記ターゲット仮想マシンものであり前記ターゲット仮想マシンによって生成された、前記識別情報を受信するように構成された識別獲得ユニットと、
前記送信ユニットが前記ｅＮＢに前記第１の応答メッセージを送信する際、前記ターゲット仮想マシンものであり前記ターゲット仮想マシンによって生成された、前記識別情報を前記ｅＮＢに戻すように構成された第１の識別送信ユニットと
をさらに具えたことを特徴とする請求項１３に記載の装置。
【請求項１５】
前記ターゲット仮想マシンによって更新された前記ターゲット仮想マシンの識別情報を受信するように構成された識別更新ユニットと、
前記送信ユニットが前記ｅＮＢに前記第１の応答メッセージを送信する際、前記ターゲット仮想マシンの前記更新された識別情報を前記ｅＮＢに戻すように構成された第２の識別送信ユニットと
をさらに具えたことを特徴とする請求項１３に記載の装置。
【請求項１６】
前記受信ユニットは、
前記発展型ノードＢ  （ｅＮＢ）を使用することによって、前記ユーザ機器（ＵＥ）によって送信された前記ＮＡＳメッセージを受信するように構成された第１の受信ユニットであって、前記ＮＡＳメッセージが、前記ＵＥによって前記ｅＮＢに送信される接続確立要求の中で伝送され、前記ＮＡＳメッセージが、前記ターゲット仮想マシンの前記識別情報を伝送し、前記ターゲット仮想マシンの前記識別情報が、前記ＭＭＥにおける前記ターゲット仮想マシンによって生成され、記憶するために前記ＭＭＥによって前記ＵＥに送信される、第１の受信ユニット
を具えたことを特徴とする請求項１３に記載の装置。
【請求項１７】
前記ＮＡＳメッセージが、前記ＭＭＥの前記識別情報をさらに伝送することを特徴とする請求項１６に記載の装置。
【請求項１８】
前記第１の受信ユニットによって受信される前記ＮＡＳメッセージが前記ターゲット仮想マシンの前記識別情報を伝送することは、
前記ＮＡＳメッセージの中で、グローバルに一意の一時的属性情報（ＧＵＴＩ）を伝送することであって、前記ＧＵＴＩが、前記ターゲット仮想マシンを識別する識別コードを含む、該伝送すること
を具えたことを特徴とする請求項１６または１７に記載の装置。
【請求項１９】
前記ＧＵＴＩが、前記ターゲット仮想マシンを識別する識別コードを含むことは、
前記グローバルに一意の一時的属性情報（ＧＵＴＩ）による、グローバルに一意のモビリティ管理エンティティ識別子（ＧＵＭＭＥＩ）または短い一時的モバイル加入者属性情報（Ｓ−ＴＭＳＩ）を含むことであって、前記ＧＵＭＭＥＩまたは前記Ｓ−ＴＭＳＩの中のモビリティ管理エンティティコードＭＭＥＣが、前記ターゲット仮想マシンを識別する前記識別コードを含む、ＧＵＭＭＥＩまたはＳ−ＴＭＳＩを含むこと
を具えたことを特徴とする請求項１８に記載の装置。
【請求項２０】
前記受信ユニットは、
前記発展型ノードＢ  （ｅＮＢ）によって送信され、前記ＮＡＳメッセージを伝送する前記第１のメッセージを受信するように構成された第２の受信ユニットであって、前記第１のメッセージが、前記ターゲット仮想マシンの前記識別情報をさらに伝送し、前記ターゲット仮想マシンの前記識別情報が、前記ターゲット仮想マシンによって生成され、記憶するために前記ＭＭＥによって前記ｅＮＢに送信される、第２の受信ユニット
を具えたことを特徴とする請求項１３または１４に記載の装置。
【請求項２１】
前記ＭＭＥと前記ｅＮＢの間でＳ１インターフェースが確立され、
前記第２の受信ユニットによって受信される前記第１のメッセージが、前記ターゲット仮想マシンの前記識別情報をさらに伝送することは、
前記第１のメッセージの中で、前記ＭＭＥ内で前記Ｓ１インターフェース上で前記ＵＥを一意に識別する識別子ＭＭＥ  ＵＥ  Ｓ１ＡＰ  ＩＤを伝送することであって、前記ＭＭＥ  ＵＥ  Ｓ１ＡＰ  ＩＤが、前記ターゲット仮想マシンを識別する識別コードを備える、該伝送すること
を具えたことを特徴とする請求項２０に記載の装置。
【請求項２２】
発展型ノードＢ  ｅＮＢに適用されるＭＭＥ選択装置において、
ユーザ機器（ＵＥ）によって送信された接続確立要求を受信するように構成された受信ユニットであって、前記接続確立要求が、前記ＵＥによってモビリティ管理エンティティ（ＭＭＥ）に送信される必要がある非アクセス層（ＮＡＳ）メッセージおよび第１の識別情報を伝送し、複数の仮想マシンが、前記ＭＭＥに配置され、前記第１の識別情報が、前記ＭＭＥを識別する識別情報、および前記ＭＭＥにおけるターゲット仮想マシンを識別する識別情報を備え、前記第１の識別情報が、前記ターゲット仮想マシンによって生成され、前記ＵＥに送信される受信ユニットと、
前記第１の識別情報から前記ＭＭＥの前記識別情報を認識し、前記ＭＭＥの前記識別情報に従って、前記ｅＮＢに対してＳ１インターフェースを確立する複数のＭＭＥから前記ＭＭＥを決定するように構成された認識ユニットと、
前記ＭＭＥに前記非アクセス層メッセージおよび前記第１の識別情報を送信して、前記ＭＭＥが、前記第１の識別情報の中の前記ターゲット仮想マシンの前記識別情報に従って、前記複数の仮想マシンから、前記ＮＡＳメッセージを処理する前記ターゲット仮想マシンを選択するように構成された送信ユニットと
を具えたことを特徴とするＭＭＥ選択装置。
【請求項２３】
前記第１の識別情報が、グローバルに一意の一時的属性情報（ＧＵＴＩ）であり、前記ＧＵＴＩが、前記ＭＭＥを識別する識別コード、および前記ターゲット仮想マシンを識別する識別コードを含む装置であって、
したがって、前記認識ユニットが、
前記ＧＵＴＩの中にあり前記ＭＭＥを識別する、事前設定された識別コードを認識して、前記ＭＭＥの前記識別コードを決定するように構成された第１の認識ユニット
を具えたことを特徴とする請求項２２に記載の装置。
【請求項２４】
前記グローバルに一意の一時的属性情報（ＧＵＴＩ）が、グローバルに一意のモビリティ管理エンティティ識別子（ＧＵＭＭＥＩ）または短い一時的モバイル加入者属性情報（Ｓ−ＴＭＳＩ）を含み、前記ＧＵＭＭＥＩまたは前記Ｓ−ＴＭＳＩの中のモビリティ管理エンティティコードＭＭＥＣが、前記ターゲット仮想マシンを識別する前記識別コード、および前記ＭＭＥを識別する前記識別コードを含み、
前記第１の認識ユニットが、
前記ＧＵＴＩの中の前記ＧＵＭＭＥＩまたは前記Ｓ−ＴＭＳＩから前記ＭＭＥＣを抽出し、前記ＭＭＥＣの中の前記識別コードものであり前記ＭＭＥを識別するのに使用される、指定された部分を認識して、前記ＭＭＥの前記識別コードを決定するように構成された第１の認識サブユニット
を具えたことを特徴とする請求項２３に記載の装置。
【国際調査報告】
2016535479.tif 000012
2016535479.tif 000013
2016535479.tif 000014
2016535479.tif 000015